(57)【特許請求の範囲】
【請求項１】
光源と、平板状の導光板と、柱状の導光部材とからなり、
前記導光板は、端面の少なくとも一面に前記導光部材からの光が入射される入光端面を有し、
前記導光部材は、導光板対向面と光源対向面を有し、
前記導光板対向面は、前記入光端面に対向した側面の少なくとも一部であり、
前記光源対向面は、前記光源に対向した端面の少なくとも一部である、照明装置であって、
前記導光部材は、前記光源からの光を波長変換する蛍光体を有する波長変換導光部材であり、
前記波長変換導光部材は、長さ方向についての単位長さ当たりの前記蛍光体が光を波長変換する効率が、前記長さ方向について前記光源から遠ざかるほど低下しており、
前記波長変換導光部材は、前記蛍光体を含有する蛍光体含有部と、前記蛍光体含有部が収容される容器と、を少なくとも有しており、
前記蛍光体含有部は、前記蛍光体の含有濃度が、前記長さ方向について前記光源から遠ざかるのに従って段階的に逐次低くなる照明装置。
【請求項２】
前記波長変換導光部材は、前記蛍光体含有部に対して前記長さ方向について前記光源から遠い側に配され、前記蛍光体を含有しない蛍光体非含有部を有している請求項１記載の照明装置。
【請求項３】
前記光源は、前記波長変換導光部材を前記長さ方向について両側から挟み込む形で一対備えられており、
前記波長変換導光部材は、前記長さ方向についての両端面がそれぞれ前記光源対向面とされるとともに、前記長さ方向についての単位長さ当たりの波長変換される光量が、前記長さ方向についての中央位置にて最少となる請求項１または請求項２記載の照明装置。
【請求項４】
請求項１から請求項３のいずれか１項に記載の照明装置と、前記照明装置から照射される光を利用して画像を表示する表示パネルと、を備える表示装置。
【請求項５】
前記表示パネルは、前記波長変換導光部材の長さ方向に沿って延在するとともに前記長さ方向と直交する直交方向に沿って並ぶ複数の走査線と、前記直交方向に沿って延在するとともに前記長さ方向に沿って並ぶ複数のデータ線と、前記走査線及び前記データ線の交差部に配されて前記走査線及び前記データ線に接続される複数のスイッチング素子と、を少なくとも有しており、
前記波長変換導光部材及び前記光源は、前記直交方向に沿って複数ずつが並んで配され、複数の前記光源は、複数の前記走査線の走査に対応して前記直交方向に走査点灯する請求項４記載の表示装置。
【請求項６】
請求項４または請求項５記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置に用いられるバックライトの一例として下記特許文献１に記載されたものが知られている。この特許文献１に記載されたバックライトである側面照射式バックライトモジュールは、少なくとも１つの点光源、導光部材、パネル導光板を含み、そのうち前記導光部材が、該導光部材中における光線の全反射を破壊し、光線に前記導光部材をムラなく透過させる複数の微小構造体を含み、前記パネル導光板が線光源の光線を反射し、発光にムラがない面光源を形成する。
【先行技術文献】
【特許文献】
【０００３】
【特許文献１】特開２０１０−４５０２２号公報
【発明の概要】
【発明が解決しようとする課題】
【０００４】
上記した特許文献１に記載された側面照射式バックライトモジュールによれば、仮に導光部材を用いずに点光源をパネル導光板の端面に沿って多数並べるようにした場合に比べると、点光源の設置数を削減することができる。しかしながら、側面照射式バックライトモジュールを用いた液晶表示装置において色再現性の向上が求められた場合の対応に苦慮していた。
【０００５】
上記した第１の課題以外にも、第２の課題としては、上記した特許文献１に記載された側面照射式バックライトモジュールによれば、点光源から出射した光が導光部材とパネル導光部材とを経てバックライトの出射光となるため、漏れ光が生じ易くなるなどして光の利用効率が芳しくなく、高輝度を得難い、という問題もあった。
【０００６】
本発明は上記のような事情に基づいて完成されたものであって、第１の目的は色再現性の向上を図ることにあり、第２の目的は輝度の向上を図ることにある。
【課題を解決するための手段】
【０００７】
本発明の第１の照明装置は、光源と、平板状の導光板と、柱状の導光部材とからなり、前記導光板は、端面の少なくとも一面に前記導光部材からの光が入射される入光端面を有し、前記導光部材は、導光板対向面と光源対向面を有し、前記導光板対向面は、前記入光端面に対向した側面の少なくとも一部であり、前記光源対向面は、前記光源に対向した端面の少なくとも一部である、照明装置であって、前記導光部材は、前記光源からの光を波長変換する蛍光体を有する波長変換導光部材である。
【０００８】
このようにすれば、光源から発せられた光は、柱状の導光部材である波長変換導光部材における光源対向面に入射されると、波長変換導光部材に有される蛍光体にて波長変換されるなどしてから波長変換導光部材における導光板対向面から出射され、その後平板状の導光板の入光端面に入射されて導光板内を導光される。このように光源とは別部材である波長変換導光部材が蛍光体を有しているので、蛍光体が光源から発せられる熱などの影響を受け難くなっている。これにより、波長変換導光部材に用いる蛍光体を選定する上での自由度が増すことになるので、色純度に優れた光を発する蛍光体を用いることが可能となり、もって当該照明装置の出射光に係る色再現性を向上させる上で好適となる。
【０００９】
しかも、波長変換導光部材の光源対向面に入射された光は、波長変換導光部材内をその長さ方向に沿って進行する過程で蛍光体により波長変換されて導光板対向面から出射されることになるので、仮に波長変換導光部材における導光板対向面とは反対側の面を光源対向面とした場合に比べると、光源対向面から導光板対向面に至るまでの光路長が長いものとなる。これにより、光源の光が蛍光体によって効率的に波長変換されるので、蛍光体の使用量を削減することができる。色純度に優れた光を発する蛍光体は、高価である場合が多いことから、その使用量を削減することで大幅な低コスト化を図ることができる。
【００１０】
本発明の第２の照明装置は、光源と、柱状の導光部材と、光を出射させる光出射部と、を備え、前記導光部材は、前記光出射部の直下に配され、前記光源と対向する端面が入光面とされ、前記光出射部側を向いた側面が出光面とされる照明装置であって、前記導光部材は、前記光源からの光を波長変換する蛍光体を有する波長変換導光部材である。
【００１１】
このようにすれば、光源から発せられた光は、波長変換導光部材における入光面に入射されると、波長変換導光部材に有される蛍光体にて波長変換されるなどしてから波長変換導光部材における出光面から出射され、光出射部から出射光として外部へ放たれる。このように光源とは別部材である波長変換導光部材が蛍光体を有しているので、蛍光体が光源から発せられる熱などの影響を受け難くなっている。これにより、波長変換導光部材に用いる蛍光体を選定する上での自由度が増すことになるので、色純度に優れた光を発する蛍光体を用いることが可能となり、もって当該照明装置の出射光に係る色再現性を向上させる上で好適となる。
【００１２】
しかも、波長変換導光部材の入光面に入射された光は、柱状の波長変換導光部材内をその長さ方向に沿って進行する過程で蛍光体により波長変換されて出光面から出射されることになるので、仮に波長変換導光部材における出光面とは反対側の面を入光面とした場合に比べると、入光面から出光面に至るまでの光路長が長いものとなる。これにより、光源の光が蛍光体によって効率的に波長変換されるので、蛍光体の使用量を削減することができる。色純度に優れた光を発する蛍光体は、高価である場合が多いことから、その使用量を削減することで大幅な低コスト化を図ることができる。さらには、光源からの光が波長変換導光部材を経て光出射部から出射されるので、漏れ光が生じ難く、光の利用効率が向上し、もって高輝度化を図ることができる。
【００１３】
本発明の第１の照明装置及び第２の照明装置の実施態様として、次の構成が好ましい。
（１）前記波長変換導光部材は、長さ方向についての単位長さ当たりの波長変換される光量が、前記長さ方向について前記光源から遠ざかるほど少なくなる。導光板対向面（出光面）のうち、長さ方向について光源から遠い側から出射される光は、近い側から出射される光に比べると、出射されるまでに蛍光体を透過する光路長が相対的に長くなっているため、蛍光体によって波長変換される光量が相対的に多くなりがちとなり、それに起因して色味に差が生じることが懸念される。これに対し、波長変換導光部材は、長さ方向についての単位長さ当たりの波長変換される光量が、長さ方向について光源から遠ざかるほど少なくなっているので、上記のように導光板対向面（出光面）のうち、長さ方向について光源から遠い側から出射される光と、光源に近い側から出射される光と、で蛍光体を透過する光路長の差に起因して生じ得る色味の差が緩和される。これにより、導光板の入光端面に入射する光（光出射部から出射する光）に色ムラが生じ難いものとなる。
【００１４】
（２）前記波長変換導光部材は、前記蛍光体を含有する蛍光体含有部と、前記蛍光体含有部が収容される容器と、を少なくとも有しており、前記蛍光体含有部は、前記蛍光体の含有濃度が、前記長さ方向について前記光源から遠ざかるほど低くなる。このようにすれば、導光板対向面（出光面）のうち、長さ方向について光源から遠い側から出射される光は、光源に近い側から出射される光に比べると、出射されるまでに蛍光体を透過する光路長が長くなるものの、蛍光体含有部における蛍光体の含有濃度が長さ方向について光源から遠ざかるほど低くなっているので、過度に波長変換されることが抑制される。これにより、導光板の入光端面に入射する光（光出射部から出射する光）に色ムラが生じ難いものとなる。
【００１５】
（３）前記蛍光体含有部は、前記蛍光体の含有濃度が、前記長さ方向について前記光源から遠ざかるのに従って段階的に逐次低くなる。このようにすれば、波長変換導光部材の製造に際して、蛍光体含有部を長さ方向について蛍光体の含有濃度が異なる複数の部分に分けて容器内に収容することが可能となる。これにより、波長変換導光部材の製造が容易なものとなる。
【００１６】
（４）前記容器は、太さ及び厚みが前記長さ方向について一定とされる。このようにすれば、容器に係る製造コストが安価なものとなる。また、容器の太さが長さ方向について一定とされることで、導光板対向面と入光端面との位置関係を長さ方向について一定に維持する上で好適となり、入光端面への入光効率を安定化させることができる。
【００１７】
（５）前記波長変換導光部材は、前記蛍光体含有部に対して前記長さ方向について前記光源から遠い側に配され、前記蛍光体を含有しない蛍光体非含有部を有している。このようにすれば、波長変換導光部材の光源対向面（入光面）に入射された光は、波長変換導光部材内をその長さ方向に沿って光源から遠ざかるよう進行する過程で、先に蛍光体を含有する蛍光体含有部を透過してから、蛍光体を含有しない蛍光体非含有部を透過することになる。従って、導光板対向面（出光面）のうち、長さ方向について光源から遠い側から出射される光が蛍光体によって過度に波長変換されたものとは一層なり難くなり、光源に近い側から出射される光との間に生じ得る色味の差が一層好適に緩和される。
【００１８】
（６）前記波長変換導光部材は、前記蛍光体を含有する蛍光体含有部と、前記蛍光体含有部が収容される容器と、を少なくとも有しており、前記容器は、前記長さ方向についての単位長さ当たりの内部空間の容積が、前記長さ方向について前記光源から遠ざかるほど小さくなる。このようにすれば、導光板対向面（出光面）のうち、長さ方向について光源から遠い側から出射される光は、光源に近い側から出射される光に比べると、出射されるまでに蛍光体を透過する光路長が長くなるものの、容器における長さ方向についての単位長さ当たりの内部空間の容積が長さ方向について光源から遠ざかるほど小さくなっているので、過度に波長変換されることが抑制される。これにより、導光板の入光端面に入射する光（光出射部から出射する光）に色ムラが生じ難いものとなる。
【００１９】
（７）前記容器は、前記長さ方向についての単位長さ当たりの前記内部空間の容積が、前記長さ方向について前記光源から遠ざかるのに従って連続的に漸次小さくなる。このようにすれば、導光板の入光端面に入射する光（光出射部から出射する光）に色ムラがより生じ難いものとなる。また、波長変換導光部材を構成する容器の製造が容易なものとなる。
【００２０】
（８）前記容器は、太さが前記長さ方向について一定とされるとともに、厚みが前記長さ方向について前記光源から遠ざかるほど大きくなる。このようにすれば、容器の太さが長さ方向について一定とされることで、導光板対向面と入光端面との位置関係を長さ方向について一定に維持する上で好適となり、入光端面への入光効率を安定化させることができる。また、容器の厚みが長さ方向について光源から遠ざかるほど大きくなることで、内部空間の容積が長さ方向について光源から遠ざかるほど小さくなる。
【００２１】
（９）前記蛍光体含有部は、前記蛍光体の含有濃度が一定とされる。このようにすれば、波長変換導光部材に係る製造コストを低廉化する上で好適となる。
【００２２】
（１０）前記光源は、前記波長変換導光部材を前記長さ方向について両側から挟み込む形で一対備えられており、前記波長変換導光部材は、前記長さ方向についての両端面がそれぞれ前記光源対向面（前記入光面）とされるとともに、前記長さ方向についての単位長さ当たりの波長変換される光量が、前記長さ方向についての中央位置にて最少となる。このようにすれば、導光板対向面（出光面）のうち、長さ方向について各光源から遠い中央側から出射される光は、各光源に近い側から出射される光に比べると、出射されるまでに蛍光体を透過する光路長が長くなるものの、波長変換導光部材において長さ方向についての単位長さ当たりの波長変換される光量が、長さ方向についての中央位置にて最少となっているので、過度に波長変換されることが抑制される。これにより、導光板の入光端面に入射する光（光出射部から出射する光）に色ムラが生じ難いものとなる。
【００２３】
（１１）前記光源は、青色の光を発するものとされており、前記波長変換導光部材は、前記蛍光体として、前記青色の光を緑色の光に波長変換する緑色蛍光体及び前記青色の光を赤色の光に波長変換する赤色蛍光体と、前記青色の光を黄色の光に波長変換する黄色蛍光体と、の少なくともいずれか一方を有する。このようにすれば、光源から発せられた青色の光は、波長変換導光部材の光源対向面（入光面）から入射されると、波長変換導光部材に緑色蛍光体及び赤色蛍光体が含有される場合は緑色の光及び赤色の光に、黄色蛍光体が含有される場合は黄色の光に、波長変換されるなどしてから波長変換導光部材における導光板対向面（出光面）から出射される。
【００２４】
（１２）前記波長変換導光部材は、前記蛍光体として量子ドット蛍光体を有している。このようにすれば、波長変換導光部材による光の波長変換効率がより高いものとなるとともに、波長変換された光の色純度が高いものとなる。
【００２５】
次に、本発明の第２の照明装置の実施態様として、次の構成が好ましい。
（１）前記波長変換導光部材は、複数が並んで配され、長さ方向と直交する直交方向についての中央側では端側よりも配列ピッチが狭い。このようにすれば、光出射部からの出射光は、直交方向についての中央側において特に高輝度となる。
【００２６】
（２）前記波長変換導光部材は、複数が並んで配され、長さ方向と直交する直交方向についての端側では中央側よりも配列ピッチが狭い。光出射部からの出射光量は、直交方向について端側では中央側よりも少なくなりがちとされるものの、上記のように波長変換導光部材の配列ピッチが直交方向についての端側では中央側よりも狭くされることで、光出射部からの出射光量が均一化される。
【００２７】
（３）前記波長変換導光部材は、複数が並んで配されており、複数の前記波長変換導光部材には、前記出光面から出射する光の色味が第１ランクとなる色度の第１波長変換導光部材と、前記出光面から出射する光の色味が前記第１ランクとは異なる第２ランクとなる色度で前記第１波長変換導光部材と隣り合う配置の第２波長変換導光部材と、が少なくとも含まれる。複数の波長変換導光部材には、製造上の問題などにより含有する蛍光体の配合比率などに差が生じ、それに起因して出光面から出射する光の色味に差が生じる場合がある。そのような場合でも、複数の波長変換導光部材を、出光面から出射する光の色味が第１ランクとなる色度の第１波長変換導光部材と、同色味が第２ランクとなる色度の第２波長変換導光部材と、にランク分けし、第１波長変換導光部材と第２波長変換導光部材とが隣り合う配置を採ることで、光出射部からの出射光に色ムラが生じ難いものとなる。
【００２８】
（４）前記波長変換導光部材は、前記出光面が曲面状をなし、前記出光面とは反対側に配されてフラットな反対面を有する。このようにすれば、波長変換導光部材の出光面が曲面状とされることで、出射光に係る輝度均一性が十分に高いものとなる。一方、波長変換導光部材の反対面がフラットであるから、薄型化が図られるとともに波長変換導光部材の設置が容易なものとなる。
【００２９】
（５）前記波長変換導光部材は、断面形状が円形とされる。このようにすれば、波長変換導光部材の製造が容易になるとともに、出光面から出射される光に係る輝度均一性に優れる。
【００３０】
（６）前記波長変換導光部材は、長さ方向についての中央側が両端側よりも細い。波長変換導光部材の出光面からの出射光量は、長さ方向について端側では中央側よりも少なくなりがちとされるものの、上記のように波長変換導光部材における長さ方向についての中央側が両端側よりも細くされることで、出光面からの出射光量が均一化される。しかも、例えば波長変換導光部材に含有される蛍光体の含有濃度が長さ方向について均一であった場合であっても、出光面から出射される光の色味は長さ方向についての位置に因らず均一なものとなり易い。
【００３１】
（７）前記波長変換導光部材は、長さ方向についての中央側が両端側よりも太い。このようにすれば、波長変換導光部材における長さ方向についての中央側において出光面から出射する光の高輝度化が図られる。
【００３２】
上記課題を解決するために、本発明の表示装置は、上記記載のいずれかの照明装置と、前記照明装置から照射される光を利用して画像を表示する表示パネルと、を備える。このような構成の表示装置によれば、照明装置からの光の色再現性が向上されているから、表示品位に優れた表示を実現することができる。
【００３３】
本発明の表示装置の実施態様として、次の構成が好ましい。すなわち、前記表示パネルは、前記波長変換導光部材の長さ方向に沿って延在するとともに前記長さ方向と直交する直交方向に沿って並ぶ複数の走査線と、前記直交方向に沿って延在するとともに前記長さ方向に沿って並ぶ複数のデータ線と、前記走査線及び前記データ線の交差部に配されて前記走査線及び前記データ線に接続される複数のスイッチング素子と、を少なくとも有しており、前記波長変換導光部材及び前記光源は、前記直交方向に沿って複数ずつが並んで配され、複数の前記光源は、複数の前記走査線の走査に対応して前記直交方向に走査点灯する。このようにすれば、複数のスイッチング素子は、複数の走査線により直交方向に沿って順次に走査されるとともに、複数のデータ線によりデータ信号が供給される。直交方向に沿って並ぶ複数の光源は、複数の走査線の走査に対応して直交方向に走査点灯されるから、直交方向に沿って並ぶ複数の波長変換導光部材の出光面からは、複数のスイッチング素子の駆動に同期する形で直交方向に沿って順次に出光される。これにより、動画応答性が優れたものとなり、表示品位が高いものとなる。
【００３４】
上記課題を解決するために、本発明のテレビ受信装置は、上記記載のいずれかの表示装置を備える。このようなテレビ受信装置によれば、表示装置の表示品位が優れたものとされているから、表示品位に優れたテレビ画像の表示を実現することができる。
【発明の効果】
【００３５】
本発明によれば、第１には色再現性の向上を図ることができ、第２には輝度の向上を図ることができる。
【図面の簡単な説明】
【００３６】
【図１】本発明の実施形態１に係るテレビ受信装置の概略構成を示す分解斜視図
【図２】テレビ受信装置が備える液晶表示装置の概略構成を示す分解斜視図
【図３】液晶表示装置が備えるバックライト装置を構成するシャーシ、ＬＥＤ基板及び導光板の平面図
【図４】図３のiv-iv線断面図
【図５】図３のv-v線断面図
【図６】図３のvi-vi線断面図
【図７】図４のvii-vii線断面図
【図８】ＬＥＤ及びＬＥＤ基板の断面図
【図９】波長変換導光部材におけるＸ１端からＸ２端に至るまでの蛍光体の含有濃度の変化を示すグラフ
【図１０】波長変換導光部材におけるＸ１端からＸ２端に至るまでの単位長さ当たりの波長変換される光量の変化を示すグラフ
【図１１】波長変換導光部材の製造過程において容器製造工程を経て容器を製造した状態を示す断面図
【図１２】波長変換導光部材の製造過程において第１蛍光体溶液注入工程及び第１蛍光体溶液硬化工程を経て容器内に注入した第１蛍光体溶液を光硬化させた状態を示す断面図
【図１３】波長変換導光部材の製造過程において第２蛍光体溶液注入工程及び第２蛍光体溶液硬化工程を経て容器内に注入した第２蛍光体溶液を光硬化させた状態を示す断面図
【図１４】波長変換導光部材の製造過程において第３蛍光体溶液注入工程及び第３蛍光体溶液硬化工程を経て容器内に注入した第３蛍光体溶液を光硬化させた状態を示す断面図
【図１５】波長変換導光部材の製造過程において第４蛍光体溶液注入工程及び第４蛍光体溶液硬化工程を経て容器内に注入した第４蛍光体溶液を光硬化させた状態を示す断面図
【図１６】波長変換導光部材の製造過程において第５蛍光体溶液注入工程及び第５蛍光体溶液硬化工程を経て容器内に注入した第５蛍光体溶液を光硬化させた状態を示す断面図
【図１７】波長変換導光部材の製造過程において封止工程を経て容器の端側部分の開口を封止した状態を示す断面図
【図１８】本発明の実施形態２に係るバックライト装置の平断面図
【図１９】図１８のxix-xix線断面図
【図２０】波長変換導光部材におけるＸ１端からＸ２端に至るまでの蛍光体の含有濃度の変化を示すグラフ
【図２１】波長変換導光部材におけるＸ１端からＸ２端に至るまでの単位長さ当たりの波長変換される光量の変化を示すグラフ
【図２２】波長変換導光部材の製造過程において容器製造工程を経て容器を製造した状態を示す断面図
【図２３】波長変換導光部材の製造過程において蛍光体溶液注入工程及び蛍光体溶液硬化工程を経て容器内に注入した蛍光体溶液を光硬化させた状態を示す断面図
【図２４】波長変換導光部材の製造過程において封止工程を経て容器の端側部分の開口を封止した状態を示す断面図
【図２５】本発明の実施形態３に係るバックライト装置の平断面図
【図２６】図２５のxxvi-xxvi線断面図
【図２７】波長変換導光部材におけるＸ１端からＸ２端に至るまでの蛍光体の含有濃度の変化を示すグラフ
【図２８】波長変換導光部材におけるＸ１端からＸ２端に至るまでの単位長さ当たりの波長変換される光量の変化を示すグラフ
【図２９】本発明の実施形態４に係るバックライト装置の平断面図
【図３０】図２９のxxx-xxx線断面図
【図３１】本発明の実施形態５に係るバックライト装置の平断面図
【図３２】本発明の実施形態６に係るバックライト装置の平断面図
【図３３】図３２のxxxiii-xxxiii線断面図
【図３４】本発明の実施形態７に係るバックライト装置の平断面図
【図３５】図３４のxxxv-xxxv線断面図
【図３６】波長変換導光部材におけるＸ１端からＸ２端に至るまでの蛍光体の含有濃度の変化を示すグラフ
【図３７】波長変換導光部材におけるＸ１端からＸ２端に至るまでの単位長さ当たりの波長変換される光量の変化を示すグラフ
【図３８】本発明の実施形態８に係るバックライト装置の平断面図
【図３９】図３８のxxxix-xxxix線断面図
【図４０】図３８のxxxx-xxxx線断面図
【図４１】本発明の実施形態９に係る液晶表示装置に備わる液晶パネル及びＬＥＤ基板における電気的構成を概略的に示すブロック図
【図４２】バックライト装置の平断面図
【図４３】本発明の実施形態１０に係るバックライト装置の平断面図
【図４４】本発明の実施形態１１に係るバックライト装置の平断面図
【図４５】本発明の実施形態１２に係るバックライト装置の平断面図
【図４６】本発明の実施形態１３に係るバックライト装置を短辺方向に沿って切断した断面図
【図４７】本発明の実施形態１４に係るバックライト装置の平断面図
【図４８】図４７のxxxxviii-xxxxviii線断面図
【図４９】本発明の実施形態１５に係るバックライト装置の平断面図
【図５０】図４９のxxxxx-xxxxx線断面図
【図５１】本発明の実施形態１６に係るバックライト装置の平断面図
【発明を実施するための形態】
【００３７】
＜実施形態１＞
本発明の実施形態１を図１から図１７によって説明する。本実施形態では、バックライト装置１２、それを用いた液晶表示装置１０及びテレビ受信装置１０ＴＶについて例示する。また、本実施形態では、バックライト装置１２に備えられる波長変換導光部材２０の製造方法についても例示する。なお、各図面の一部にはＸ軸、Ｙ軸及びＺ軸を示しており、各軸方向が各図面で示した方向となるように描かれている。また、図４から図６などに示す上側を表側とし、同図下側を裏側とする。
【００３８】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００３９】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００４０】
バックライト装置１２は、図２に示すように、表側（液晶パネル１１側、出光側）の外部に向けて開口する光出射部１４ｂを有した略箱型をなすシャーシ１４と、シャーシ１４の光出射部１４ｂを覆う形で配される複数の光学部材（光学シート）１５と、を備える。さらに、シャーシ１４内には、点状光源であるＬＥＤ（光源）１７と、ＬＥＤ１７が実装されたＬＥＤ基板１８と、光学部材１５の直下に配されて面状光を出射させる平板状の導光板１９と、導光板１９の側方に配されてＬＥＤ１７からの点状の光を線状の光に変換して導光板１９へと導く柱状の導光部材であって、ＬＥＤ１７からの光を波長変換する波長変換導光部材（波長変換導光チューブ）２０と、導光板１９及び波長変換導光部材２０などを表側から押さえるとともに光学部材１５及び液晶パネル１１を裏側から受けるフレーム１６と、が備えられる。本実施形態に係るバックライト装置１２は、ＬＥＤ１７の光が波長変換導光部材２０を介して導光板１９に対して片側からのみ入光される片側入光タイプのエッジライト型（サイドライト型）とされている。続いて、バックライト装置１２の各構成部品について詳しく説明する。
【００４１】
シャーシ１４は、金属製とされ、図２及び図３に示すように、液晶パネル１１と同様に横長の方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００４２】
光学部材１５は、図２に示すように、液晶パネル１１及びシャーシ１４と同様に平面に視て横長の方形状をなしている。光学部材１５は、シャーシ１４の光出射部１４ｂを覆うとともに、液晶パネル１１と導光板１９との間に介在する形で配されている。つまり、光学部材１５は、ＬＥＤ１７に対して出光経路の出口側に配されている、と言える。光学部材１５は、シート状をなしていて合計で３枚が備えられている。具体的には、光学部材１５は、光に等方性集光作用を付与するマイクロレンズシート２１と、光に異方性集光作用を付与するプリズムシート２２と、光を偏光反射する反射型偏光シート２３と、から構成される。光学部材１５は、図４及び図５に示すように、裏側からマイクロレンズシート２１、プリズムシート２２、及び反射型偏光シート２３の順で相互に積層されてそれらの外縁部がフレーム１６に対してその表側に載せられている。つまり、光学部材１５を構成するマイクロレンズシート２１、プリズムシート２２、及び反射型偏光シート２３は、導光板１９に対して表側、つまり光出射側にフレーム１６（詳しくは後述する枠状部１６ａ）分の間隔を空けて対向状をなしている。
【００４３】
フレーム１６は、図２に示すように、導光板１９及び光学部材１５の外周縁部に沿って延在する横長の枠状部（額縁状部、枠状支持部）１６ａを有しており、その枠状部１６ａにより導光板１９の外周縁部をほぼ全周にわたって表側から押さえて支持するものとされる。フレーム１６の枠状部１６ａは、光学部材１５（マイクロレンズシート２１）と導光板１９との間に介在するとともに、光学部材１５の外周縁部を裏側から受けて支持するものとされ、それにより光学部材１５が導光板１９との間に枠状部１６ａ分の間隔を空けた位置に保たれる。また、フレーム１６の枠状部１６ａにおける裏側（導光板１９側）の面には、例えばポロン（登録商標）などからなる緩衝材２４が設けられている。緩衝材２４は、枠状部１６ａの全周にわたって延在するよう枠状をなしている。さらには、フレーム１６は、枠状部１６ａから表側に向けて突出するとともに、液晶パネル１１における外周縁部を裏側から支持する液晶パネル支持部１６ｂを有している。
【００４４】
次に、ＬＥＤ１７及びＬＥＤ１７が実装されるＬＥＤ基板１８について説明する。ＬＥＤ１７は、図３及び図６に示すように、ＬＥＤ基板１８上に表面実装されるとともにその発光面１７ａがＬＥＤ基板１８側とは反対側を向いた、いわゆる頂面発光型とされている。このＬＥＤ１７は、青色の単色光を発する青色ＬＥＤとされている。そして、ＬＥＤ１７から発せられた青色の光は、その一部が詳しくは後述する波長変換導光部材２０によって緑色の光や赤色の光に波長変換されるようになっており、これら波長変換された緑色の光及び赤色の光（二次光）と、ＬＥＤ１７の青色の光（一次光）と、の加法混色によりバックライト装置１２の出射光が概ね白色を呈するものとされる。
【００４５】
詳しくは、ＬＥＤ１７は、図８に示すように、発光源である青色ＬＥＤ素子（青色発光素子、青色ＬＥＤチップ）２６と、青色ＬＥＤ素子２６を封止する封止材２７と、青色ＬＥＤ素子２６が収容されるとともに封止材２７が充填されるケース（収容体、筐体）２８と、を備える。青色ＬＥＤ素子２６は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子２６の発光光と同色の単色光とされる。この青色ＬＥＤ素子２６は、図示しないリードフレームによってケース２８外に配されたＬＥＤ基板１８における配線パターンに接続される。封止材２７は、ＬＥＤ１７の製造工程では青色ＬＥＤ素子２６が収容されたケース２８の内部空間に充填されることで、青色ＬＥＤ素子２６及びリードフレームを封止するとともにこれらの保護を図るものとされる。封止材２７は、ほぼ透明な熱硬化性樹脂材料（例えば、エポキシ樹脂材料、シリコーン樹脂材料など）からなるものとされ、それにより青色ＬＥＤ素子２６から発せられた青色の単色光がそのままＬＥＤ１７の発光光となるものとされる。ケース２８は、表面が光の反射性に優れた白色を呈する合成樹脂材料（例えばポリアミド系樹脂材料）またはセラミック材料からなる。ケース２８は、全体として発光面１７ａ側が開口した有底筒型をなしており、その底面に青色ＬＥＤ素子２６が配置されるとともに、周壁を上記リードフレームが貫通されることで青色ＬＥＤ素子２６がＬＥＤ基板１８の配線パターンに接続されている。
【００４６】
ＬＥＤ基板１８は、図３及び図６に示すように、その板面がＹ軸方向及びＺ軸方向に並行した姿勢、つまり液晶パネル１１及び導光板１９（光学部材１５）の板面と直交させた姿勢でシャーシ１４内に収容されている。ＬＥＤ基板１８は、その内側、つまり波長変換導光部材２０側を向いた板面（波長変換導光部材２０との対向面）が、上記した構成のＬＥＤ１７が表面実装された実装面１８ａとされる。このＬＥＤ基板１８は、板面の片面のみが実装面１８ａとされる片面実装タイプとされている。ＬＥＤ１７は、ＬＥＤ基板１８の実装面１８ａにおける中央位置に１つのみ実装されている。ＬＥＤ基板１８は、ＬＥＤ１７が実装される実装面１８ａとは反対側の板面が、シャーシ１４における一方（図３に示す左側）の短辺側の側部１４ｃの内面に接する形で取り付けられている。ＬＥＤ基板１８は、シャーシ１４における短辺側の側部１４ｃのうち、一方（図３に示す下側）の長辺側の側部１４ｃに隣接する端部に配置されている。ＬＥＤ基板１８に実装されたＬＥＤ１７は、その発光面１７ａがＹ軸方向及びＺ軸方向に並行するとともに、その光軸、つまり発光強度が最も高い光の進行方向がＸ軸方向（導光板１９と波長変換導光部材２０との並び方向と直交する方向、ＬＥＤ１７と波長変換導光部材２０との並び方向、入光端面１９ｂ及び波長変換導光部材２０の長さ方向）とほぼ一致する。また、ＬＥＤ基板１８の実装面１８ａには、金属膜（銅箔など）からなり、ＬＥＤ１７に接続される配線パターン（図示せず）が形成されている。ＬＥＤ基板１８には、上記配線パターンの端部に図示しない端子部が形成されており、この端子部に対して配線部材を介してＬＥＤ駆動基板（配線部材共々図示せず）から駆動電力が供給されるようになっている。このＬＥＤ基板１８の基材は、例えばアルミニウムなどの金属製とされ、その表面に絶縁層を介して既述した配線パターン（図示せず）が形成されている。なお、ＬＥＤ基板１８の基材に用いる材料としては、合成樹脂やセラミックなどの絶縁材料を用いることも可能である。
【００４７】
導光板１９は、ほぼ透明で透光性に優れた合成樹脂材料（例えばＰＭＭＡなどのアクリル樹脂材料など）からなり、その屈折率が例えば１．４９程度と、空気の屈折率よりも十分に高いものとされる。導光板１９は、図２及び図３に示すように、液晶パネル１１及びシャーシ１４と同様に平面に視て横長の方形状をなすとともに光学部材１５よりも厚みが大きな板状をなしており、その板面における長辺方向がＸ軸方向と、短辺方向がＹ軸方向とそれぞれ一致し、且つ板面と直交する板厚方向がＺ軸方向と一致している。導光板１９は、図４及び図５に示すように、シャーシ１４内において液晶パネル１１及び光学部材１５の直下位置に配されており、その外周端面のうちの一方（図２及び図３に示す手前側、図４に示す左側）の長辺側の端面がシャーシ１４における長辺側の一端部に配された波長変換導光部材２０と対向状をなしている。従って、波長変換導光部材２０と導光板１９との並び方向がＹ軸方向と一致するのに対して、光学部材１５（液晶パネル１１）と導光板１９との並び方向がＺ軸方向と一致しており、両並び方向が互いに直交するものとされる。そして、導光板１９は、波長変換導光部材２０からＹ軸方向に向けて出射された光を導入するとともに、その光を内部で伝播させつつ光学部材１５側（表側）へ向くよう立ち上げて出射させる機能を有する。導光板１９の厚み（Ｚ軸方向についての寸法）は、波長変換導光部材２０の高さ寸法（Ｚ軸方向についての寸法）よりも大きなものとされる。
【００４８】
導光板１９における一対の板面のうちの表側の板面が、図４及び図５に示すように、内部の光を光学部材１５及び液晶パネル１１に向けて出射させる出光板面（光出射面）１９ａとなっている。導光板１９における板面に対して隣り合う外周端面は、その周方向であるＸ軸方向（波長変換導光部材２０の長さ方向、導光板１９の長辺方向）に沿って長手状をなす一対の長辺側の端面と、同じく周方向であるＹ軸方向（波長変換導光部材２０と導光板１９との並び方向、導光板１９の短辺方向）に沿って長手状をなす一対の短辺側の端面と、から構成される。導光板１９の外周端面を構成する一対の長辺側の端面のうち、一方（図２及び図３に示す手前側）の長辺側の端面は、波長変換導光部材２０と所定の空間（導光板１９の熱膨張に伴う寸法変化を許容する程度の空間）を空けて対向状をなしており、これが波長変換導光部材２０から出射された光が直接的に入射される入光端面（光入射面）１９ｂとなっている。この入光端面１９ｂは、波長変換導光部材２０と対向状をなしていることから、「波長変換導光部材対向端面」であるとも言える。入光端面１９ｂは、その長さ方向（長辺方向）がＸ軸方向と、幅方向（短辺方向）がＺ軸方向と、法線方向がＹ軸方向と、それぞれ一致しており、出光板面１９ａに対して略直交する面とされる。これに対して、導光板１９の上記外周端面のうち、入光端面１９ｂを除いた部分（他方の長辺側の端面及び一対の短辺側の端面）が、波長変換導光部材２０から出射された光が直接的に入射されることがない非入光端面１９ｄとされる。この非入光端面１９ｄは、波長変換導光部材２０と対向状をなしていないことから、「波長変換導光部材非対向端面」であるとも言える。非入光端面１９ｄは、導光板１９の上記外周端面における一対の長辺側の端面のうちの他方の端面、つまり上記した入光端面１９ｂとは反対側の端面から構成される非入光反対端面１９ｄ１と、入光端面１９ｂ及び非入光反対端面１９ｄ１に対して隣り合う一対の短辺側の端面から構成される一対の非入光側端面１９ｄ２と、からなる。なお、本実施形態では、波長変換導光部材非対向端面のことを「非入光端面１９ｄ」として説明しているが、光が全く入射しないことまでを意味するものではなく、例えば非入光端面１９ｄから一旦外側に漏れ出した光が例えばシャーシ１４の側部１４ｃによって反射されて戻された場合にはその戻される光が非入光端面１９ｄに入射することもあり得る。
【００４９】
導光板１９における裏側、つまり出光板面１９ａとは反対側の反対板面１９ｃに対しては、図４及び図５に示すように、反射シート（反射部材）２５が裏側に重なる形で配されている。反射シート２５は、表面が光の反射性に優れた白色を呈する合成樹脂製（例えば発泡ＰＥＴ製）とされていて、導光板１９内を伝播して反対板面１９ｃに達した光を反射することでその光を表側、つまり出光板面１９ａへ向かうよう立ち上げるものとされる。反射シート２５は、導光板１９の反対板面１９ｃをほぼ全域にわたって覆う形で配されている。反射シート２５は、平面に視て波長変換導光部材２０と重畳する範囲にまで拡張されてその拡張部分と表側のフレーム１６の枠状部１６ａとの間で波長変換導光部材２０を挟み込む形で配されている。これにより、波長変換導光部材２０からの光を反射シート２５の拡張部分によって反射することで、入光端面１９ｂに対して効率的に入射させることができる。この導光板１９の反対板面１９ｃには、導光板１９内の光を出光板面１９ａに向けて反射させることで出光板面１９ａから出射を促すための光反射部からなる光反射パターン（図示せず）が形成されている。この光反射パターンを構成する光反射部は、多数の光反射ドットからなるものとされており、その分布密度が入光端面１９ｂ（波長変換導光部材２０）からの距離に応じて変化するものとされる。具体的には、光反射部を構成する光反射ドットの分布密度は、Ｙ軸方向について入光端面１９ｂから遠ざかるほど（非入光反対端面１９ｄ１に近づくほど）高くなり、逆に入光端面１９ｂに近づくほど（非入光反対端面１９ｄ１から遠ざかるほど）低くなる傾向にあり、それにより出光板面１９ａからの出射光が面内において均一な分布となるよう制御されている。
【００５０】
波長変換導光部材２０は、図２及び図３に示すように、導光板１９の入光端面１９ｂに沿って延在する柱状（棒状、チューブ状）をなしており、その長さ方向がＸ軸方向（入光端面１９ｂの長さ方向）に並行する姿勢で、導光板１９の入光端面１９ｂと、シャーシ１４の一方（図３に示す下側）の長辺側の側部１４ｃと、の間に介在する形で配されている。従って、波長変換導光部材２０と導光板１９との並び方向がＹ軸方向と一致するのに対して、波長変換導光部材２０とＬＥＤ１７との並び方向がＸ軸方向と一致しており、これらの並び方向が互いに直交する関係（波長変換導光部材２０と導光板１９とＬＥＤ１７とがＬ字型に並ぶ関係）とされる。波長変換導光部材２０は、図示しない保持手段によって上記した位置にて保持されるのが好ましいものとされる。波長変換導光部材２０は、長さ方向がＸ軸方向と一致した略角柱状をなしており、長さ方向と直交する一対の端面のうちの一方の端面がＬＥＤ１７の発光面１７ａと対向するＬＥＤ対向面（光源対向面）２０ａとされるのに対し、長さ方向に沿う複数（本実施形態では４つ）の側面のうちの１つの側面が導光板１９の入光端面１９ｂと対向する導光板対向面２０ｂとされている。波長変換導光部材２０においてＬＥＤ対向面２０ａは、ＬＥＤ１７の発光面１７ａから発せられた光が直接的に入射される入光面となっている。波長変換導光部材２０は、ＬＥＤ対向面２０ａに入射された光を長さ方向（Ｘ軸方向）に沿って進行するよう導光するものとされる。波長変換導光部材２０において導光板対向面２０ｂは、波長変換導光部材２０内を導光された光を、導光板１９の入光端面１９ｂに向けて出射させる出光面となっている。導光板対向面２０ｂからの出射光は、入光端面１９ｂの長さ方向に並行する線状の光としてＹ軸方向に沿って入光端面１９ｂへと進行する。また、波長変換導光部材２０においてＬＥＤ対向面２０ａの法線方向が、波長変換導光部材２０及び導光板対向面２０ｂの長さ方向（延在方向）と一致している。また、波長変換導光部材２０において導光板対向面２０ｂの法線方向が、Ｙ軸方向、つまり導光板１９と波長変換導光部材２０との並び方向と一致している。
【００５１】
そして、波長変換導光部材２０は、ＬＥＤ１７から発せられた光（一次光）を他の波長の光（二次光）へと波長変換する蛍光体（波長変換物質）を有している。このように本実施形態では、ＬＥＤ１７を構成する封止材２７（図８を参照）に蛍光体を含有させることがなく、図２及び図３に示すように、ＬＥＤ１７とは別部材である波長変換導光部材２０に蛍光体を含有させるようにしているので、蛍光体がＬＥＤ１７から発せられる熱などの影響を受け難くなっている。これにより、波長変換導光部材２０に用いる蛍光体を選定する上での自由度が増すことになるので、例えば熱などの影響による性能劣化が生じ易いものの色純度に優れた光を発するような特性を持つ蛍光体を積極的に用いることが可能となる。もって、バックライト装置１２の出射光に係る色再現性を向上させる上で好適となっている。しかも、波長変換導光部材２０のＬＥＤ対向面２０ａに入射された光は、波長変換導光部材２０内をその長さ方向に沿って進行する過程で蛍光体により波長変換されて導光板対向面２０ｂから出射されることになるので、仮に波長変換導光部材と導光板とＬＥＤとが直線的に並ぶ配置とし、波長変換導光部材における導光板対向面とは反対側の面をＬＥＤ対向面とした場合に比べると、ＬＥＤ対向面２０ａから導光板対向面２０ｂに至るまでの平均的な光路長が長いものとなる。このように、蛍光体を透過する光の光路長が長ければ、蛍光体によって波長変換される光量が多くなることから、蛍光体の使用量を削減することができる。色純度に優れた光を発する蛍光体は、高価である場合が多いことから、その使用量を削減することで大幅な低コスト化を図ることができる。また、仮に蛍光体を含有する波長変換シートを、導光板１９の出光板面１９ａまたは反対板面１９ｃに重なる形で配した場合に比べても、蛍光体の使用量が少なく済むので、同様にコスト削減効果が得られることになる。
【００５２】
詳しくは、波長変換導光部材２０は、図３及び図４に示すように、その長さ方向（延在方向、Ｘ軸方向）と直交する方向に沿って切断した断面形状が、角部が丸められた方形状をなしており、長さ寸法（Ｘ軸方向についての寸法）が導光板１９の長辺寸法（入光端面１９ｂの長さ寸法）よりも大きく、高さ寸法（Ｚ軸方向についての寸法）が導光板１９の厚み寸法（入光端面１９ｂの幅寸法）よりも大きなものとされる。波長変換導光部材２０は、Ｘ軸方向及びＺ軸方向に沿う外面である側面（導光板対向面２０ｂを含む）、及びＹ軸方向及びＺ軸方向に沿う外面である端面（ＬＥＤ対向面２０ａを含む）がそれぞれほぼフラットな面とされているので、側面である導光板対向面２０ｂが導光板１９の入光端面１９ｂに並行し、端面であるＬＥＤ対向面２０ａがＬＥＤ１７の発光面１７ａに並行している。従って、波長変換導光部材２０の導光板対向面２０ｂと導光板１９の入光端面１９ｂとの間の距離が、両面１９ｂ，２０ｂの面内において全域にわたってほぼ一定とされるとともに、波長変換導光部材２０のＬＥＤ対向面２０ａとＬＥＤ１７の発光面１７ａとの間の距離が、両面１７ａ，２０ａの面内において全域にわたってほぼ一定とされる。波長変換導光部材２０は、その幅方向（Ｙ軸方向）について内端位置がフレーム１６の枠状部１６ａの内端位置よりも外側に配されている。つまり、波長変換導光部材２０は、その全域がフレーム１６の枠状部１６ａと平面に視て重畳する配置とされているので、液晶表示装置１０の使用者に表側から波長変換導光部材２０が直接視認されるなどといった事態が生じ難いものとされる。
【００５３】
波長変換導光部材２０は、図６及び図７に示すように、ＬＥＤ１７からの光を波長変換するための蛍光体を含有する蛍光体含有部２９と、入光端面１９ｂの長さ方向であるＸ軸方向に沿って延在して蛍光体含有部２９を収容する容器（キャピラリ）３０と、容器３０における長さ方向についての端側部分を封止する封止部３１と、を有している。蛍光体含有部２９には、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。これにより、波長変換導光部材２０は、ＬＥＤ１７の発光光（青色の光、一次光）をその色味（青色）に対して補色となる色味（黄色）を呈する二次光（緑色の光及び赤色の光）に波長変換するものとされる。
【００５４】
より詳しくは、蛍光体含有部２９に含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピーク波長が緑色の光の波長範囲の中の約５３０ｎｍとされ且つ半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピーク波長が赤色の光の波長範囲の中の約６１０ｎｍとされ且つ半値幅が４０ｎｍ未満とされる発光スペクトルを有する。
【００５５】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００５６】
このような量子ドット蛍光体を用いた波長変換導光部材２０が備えられたバックライト装置１２によれば、出射光に係る色再現性が極めて優れたものとなるので、このバックライト装置１２を備えた液晶表示装置１０及びテレビ受信装置１０ＴＶにおいては、いわゆる４Ｋテレビや８Ｋテレビなどの超高精細度テレビに係る映像フォーマットを規定したＢＴ．２０２０規格を満たすことが可能となる。従って、本実施形態に係るテレビ受信装置１０ＴＶにおいては、チューナー１０Ｔに、２Ｋ解像度相当の２Ｋ放送信号や４Ｋ解像度相当の４Ｋ放送信号を受信して、それらの放送信号を４Ｋ解像度相当の４Ｋ映像信号や８Ｋ解像度相当の８Ｋ映像信号にアップコンバートする機能を持たせるのが好ましいものとされる。
【００５７】
蛍光体含有部２９は、図６及び図７に示すように、ほぼ透明な紫外線硬化性樹脂材料に赤色蛍光体及び緑色蛍光体を含有させてなるものとされており、製造に際しては、液体状態の紫外線硬化性樹脂材料中に赤色蛍光体及び緑色蛍光体を分散配合して得た蛍光体溶液を容器３０内に注入した後に紫外線が照射されることで硬化が図られるものとされる。蛍光体含有部２９は、容器３０の内部空間に充填されるので、全体としては容器３０の外形を一回り小さくした略棒状をなしている。蛍光体含有部２９は、その形成範囲が、Ｘ軸方向について導光板１９の入光端面１９ｂの全域に対して重畳するとともに、Ｚ軸方向についてＬＥＤ１７の発光面１７ａ及び入光端面１９ｂの全域に対して重畳するよう設定されている。
【００５８】
容器３０は、ほぼ透明で透光性に優れた無機ガラス材料（例えば無アルカリガラスや石英ガラスなど）からなり、その屈折率は、例えば約１．５程度、つまり導光板１９の屈折率とほぼ同じとされる。容器３０は、図６及び図７に示すように、蛍光体含有部２９をその全長にわたって取り囲んでおり、Ｘ軸方向に沿って延在する略有底筒状をなすとともにその長さ方向（延在方向）と直交する形で切断した断面形状が、角部が丸められた方形状をなしている。容器３０は、その厚みが全域にわたって概ね一定とされるとともに、その内部空間（蛍光体含有部２９の充填空間）が容器３０の外形を一回り小さくしたものとされている。容器３０における長さ方向（Ｘ軸方向）に沿った一側面が、導光板１９の入光端面１９ｂと対向する導光板対向面２０ｂを構成している。容器３０は、その長さ方向についての一方の端側部分が封止部３１により封止されている。つまり、この波長変換導光部材２０は、片端側のみが封止部３１により封止された片側封止構造とされている。容器３０は、製造過程において蛍光体含有部２９が形成される前の段階では、一方の端側部分が外部に開口しているのに対し、他方の端側部分が底部３０ａにより閉塞した状態とされており、蛍光体含有部２９が形成された後に開口が封止部３１により封止されるようになっている。封止部３１は、容器３０と同一の無機ガラス材料からなるものとされているので、容器３０における端側部分を高い密閉性でもって封止することができる。封止部３１における外面が、ＬＥＤ１７の発光面１７ａと対向するＬＥＤ対向面２０ａを構成している。
【００５９】
図６及び図７に示される容器３０には、容器３０内の光を導光板対向面２０ｂに向けて反射させることで導光板対向面２０ｂから出射を促すための光反射部からなる光反射パターン（図示せず）が形成されている。この光反射パターンを構成する光反射部は、多数の光反射ドットからなるものとされており、その分布密度がＬＥＤ対向面２０ａ（ＬＥＤ１７）からのＸ軸方向についての距離に応じて変化するものとされる。具体的には、光反射部を構成する光反射ドットの分布密度は、Ｘ軸方向についてＬＥＤ対向面２０ａ（封止部３１）から遠ざかるほど（底部３０ａに近づくほど）高くなり、逆にＬＥＤ対向面２０ａに近づくほど（底部３０ａから遠ざかるほど）低くなる傾向にあり、それにより導光板対向面２０ｂからの出射光が面内において均一な分布となるよう制御されている。光反射部は、容器３０における導光板対向面２０ｂとその反対側の側面とのいずれか一方、または両方に設けられている。
【００６０】
上記のような構成の波長変換導光部材２０においては、ＬＥＤ対向面２０ａに入射した光は、図６及び図７に示すように、容器３０における長さ方向に沿う外面にて全反射されつつ、長さ方向に沿ってＬＥＤ１７から遠ざかるよう進行し、その過程で蛍光体含有部２９に含有される蛍光体（赤色蛍光体及び緑色蛍光体）によって所定の変換効率でもって波長変換される。そして、容器３０内を長さ方向に沿って進行する光は、光反射パターンを構成する光反射部にて散乱反射されると、導光板対向面２０ｂに対する入射角が臨界角を超えない光となって導光板対向面２０ｂから出射されるようになっている。ここで、導光板対向面２０ｂのうち、その長さ方向（Ｘ軸方向）についてＬＥＤ１７から遠い側から出射される光は、近い側から出射される光に比べると、出射されるまでに蛍光体を透過する光路長が相対的に長くなっているため、蛍光体によって波長変換される光量が相対的に多くなりがちとなり、それに起因して色味に差が生じることが懸念される。具体的には、導光板対向面２０ｂのうち、長さ方向についてＬＥＤ１７に近い側から出射される光が白色を呈する場合には、ＬＥＤ１７から遠い側から出射される光が黄色味を帯びたものとなり易くなり、結果として導光板１９の入光端面１９ｂ及び出光板面１９ａのうち、Ｘ軸方向についてＬＥＤ１７から遠い側の部分に入射する光及び同部分から出射する光が黄色味を帯びてしまい、色ムラとして視認されるおそれがあった。
【００６１】
そこで、本実施形態に係る波長変換導光部材２０は、図６及び図７に示すように、その長さ方向についての単位長さ当たりの波長変換される光量が、長さ方向についてＬＥＤ１７から遠ざかるほど少なくなるものとされる。具体的には、波長変換導光部材２０を構成する蛍光体含有部２９は、蛍光体（赤色蛍光体及び緑色蛍光体）の含有濃度（配合比率）が、長さ方向についてＬＥＤ１７から遠ざかるほど低くなるものとされる。このような構成によれば、導光板対向面２０ｂのうち、長さ方向についてＬＥＤ１７から遠い側から出射される光が、ＬＥＤ１７に近い側から出射される光に比べると、出射されるまでに蛍光体を透過する光路長が長くなるものの、ＬＥＤ１７から長さ方向について遠ざかるほど蛍光体の含有濃度が低下することで、過度に波長変換される（赤色の光及び緑色の光に係る光量が過剰になる）ことが抑制される。これにより、導光板対向面２０ｂのうち、長さ方向についてＬＥＤ１７から遠い側から出射される光と、ＬＥＤ１７に近い側から出射される光と、で蛍光体を透過する光路長の差に起因して生じ得る色味の差が緩和される。もって、導光板１９の入光端面１９ｂに入射する光に色ムラが生じ難いものとなるとともに、導光板１９の出光板面１９ａから出射する出射光にも色ムラが生じ難いものとなる。
【００６２】
蛍光体含有部２９は、図６，図７及び図９に示すように、蛍光体の含有濃度が、長さ方向についてＬＥＤ１７から遠ざかるのに従って段階的に逐次低くなるものとされる。このような構成によれば、波長変換導光部材２０の製造に際して、蛍光体含有部２９を長さ方向について蛍光体の含有濃度が異なる複数の部分に分けて容器３０内に収容することが可能となる。これにより、波長変換導光部材２０の製造が容易なものとなる。具体的には、蛍光体含有部２９は、蛍光体の含有濃度が、ＬＥＤ１７からの距離に応じて５段階でもって変化するようになっている。蛍光体含有部２９は、ＬＥＤ１７から遠い側から順に、蛍光体の含有濃度が最も低い第１蛍光体含有部２９Ａと、蛍光体の含有濃度が二番目に低い（四番目に高い）第２蛍光体含有部２９Ｂと、蛍光体の含有濃度が三番目に低い（高い）第３蛍光体含有部２９Ｃと、蛍光体の含有濃度が四番目に低い（二番目に高い）第４蛍光体含有部２９Ｄと、蛍光体の含有濃度が最も高い第５蛍光体含有部２９Ｅと、から構成されている。従って、第１蛍光体含有部２９Ａは、Ｘ軸方向についての単位長さ当たりの蛍光体の含有量が最も少なくなることで単位長さ当たりの波長変換される光量が最も少なくなり、第２蛍光体含有部２９Ｂは、Ｘ軸方向についての単位長さ当たりの蛍光体の含有量が二番目に少なくなることで単位長さ当たりの波長変換される光量が二番目に少なくなり、第３蛍光体含有部２９Ｃは、Ｘ軸方向についての単位長さ当たりの蛍光体の含有量が三番目に少なくなることで単位長さ当たりの波長変換される光量が三番目に少なくなり、第４蛍光体含有部２９Ｄは、Ｘ軸方向についての単位長さ当たりの蛍光体の含有量が四番目に少なくなることで単位長さ当たりの波長変換される光量が四番目に少なくなり、第５蛍光体含有部２９Ｅは、Ｘ軸方向についての単位長さ当たりの蛍光体の含有量が最も多くなることで単位長さ当たりの波長変換される光量が最も多くなっている。そして、波長変換導光部材２０において長さ方向についての単位長さ当たりの波長変換される光量は、図１０に示すように、ＬＥＤ１７から遠ざかるのに従って５段階でもって段階的に逐次少なくなるものとされる。なお、本実施形態においては、各蛍光体含有部２９Ａ〜２９ＥにおけるＸ軸方向についての形成範囲は、互いに概ね等しいものとされる。
【００６３】
なお、以下では蛍光体含有部２９を区別する場合には、第１蛍光体含有部の符号に添え字Ａを、第２蛍光体含有部の符号に添え字Ｂを、第３蛍光体含有部の符号に添え字Ｃを、第４蛍光体含有部の符号に添え字Ｄを、第５蛍光体含有部の符号に添え字Ｅを、それぞれ付し、区別せずに総称する場合には、符号に添え字を付さないものとする。また、図６及び図７では、波長変換導光部材２０（蛍光体含有部２９）における蛍光体の含有濃度（Ｘ軸方向についての単位長さ当たりの蛍光体の含有量）をドットの密度によって表しており、ドットの密度が高いほど蛍光体の含有濃度が多くなってＸ軸方向についての単位長さ当たりの波長変換される光量が多くなり、逆にドットの密度が低いほど蛍光体の含有濃度が少なくなってＸ軸方向についての単位長さ当たりの波長変換される光量が少ないものとなる。また、図９は、波長変換導光部材２０（蛍光体含有部２９）における蛍光体の含有濃度（Ｘ軸方向についての単位長さ当たりの蛍光体の含有量）に関して、Ｘ軸方向に沿って波長変換導光部材２０におけるＸ１端（ＬＥＤ１７に近い側の端）からＸ２端（ＬＥＤ１７から遠い側の端）に至るまでの分布を表すグラフである。同様に、図１０は、波長変換導光部材２０（蛍光体含有部２９）におけるＸ軸方向についての単位長さ当たりの波長変換される光（赤色の光及び緑色の光）の光量に関して、Ｘ軸方向に沿って波長変換導光部材２０におけるＸ１端からＸ２端に至るまでの分布を表すグラフである。
【００６４】
容器３０は、太さ及び厚みが長さ方向についてほぼ一定とされている。このような構成によれば、容器３０に係る製造コストが安価なものとなる。また、容器３０の太さが長さ方向について一定とされることで、導光板対向面２０ｂと入光端面１９ｂとの位置関係が長さ方向について一定に維持され、もって入光端面１９ｂへの入光効率が安定化したものとなる。
【００６５】
本実施形態は以上のような構造であり、続いてその作用を説明する。まず、波長変換導光部材２０の製造方法について説明する。波長変換導光部材２０の製造方法は、容器３０を製造する容器製造工程と、第１蛍光体含有部２９Ａとなる第１蛍光体溶液を容器３０内に開口を通して注入する第１蛍光体溶液注入工程と、第１蛍光体溶液を光硬化させる第１蛍光体溶液硬化工程と、第２蛍光体含有部２９Ｂとなる第２蛍光体溶液を容器３０内に開口を通して注入する第２蛍光体溶液注入工程と、第２蛍光体溶液を光硬化させる第２蛍光体溶液硬化工程と、第３蛍光体含有部２９Ｃとなる第３蛍光体溶液を容器３０内に開口を通して注入する第３蛍光体溶液注入工程と、第３蛍光体溶液を光硬化させる第３蛍光体溶液硬化工程と、第４蛍光体含有部２９Ｄとなる第４蛍光体溶液を容器３０内に開口を通して注入する第４蛍光体溶液注入工程と、第４蛍光体溶液を光硬化させる第４蛍光体溶液硬化工程と、第５蛍光体含有部２９Ｅとなる第５蛍光体溶液を容器３０内に開口を通して注入する第５蛍光体溶液注入工程と、第５蛍光体溶液を光硬化させる第５蛍光体溶液硬化工程と、容器３０における一方の端側部分の開口を封止する封止工程と、を備える。以下、各工程について詳しく説明する。
【００６６】
容器製造工程では、図１１に示すように、無機ガラス材料を用いて中空の略筒状をなす容器３０を、その長さ方向について一方の端側部分が開口し、他方の端側部分が底部３０ａによって閉塞された状態で製造している。第１蛍光体溶液注入工程では、光硬化性樹脂材料に赤色蛍光体及び緑色蛍光体を含有してなる第１蛍光体溶液を、容器３０における開口（注入口）を通して容器３０内に注入し、図１２に示すように、容器３０における長さ方向について開口から最も遠い端位置（注入口から視て最も奥端位置）に選択的に配する。この容器３０内に注入される第１蛍光体溶液は、単位体積当たりの赤色蛍光体及び緑色蛍光体の含有量（含有濃度）が最も少ない（低い）ものとされる。第１蛍光体溶液硬化工程では、容器３０内に注入された第１蛍光体溶液に紫外線を照射して硬化させる。これにより、第１蛍光体含有部２９Ａが形成されるとともに、第１蛍光体含有部２９Ａが容器３０における長さ方向について開口から最も遠い端位置にて固定化される。
【００６７】
第２蛍光体溶液注入工程では、図１３に示すように、光硬化性樹脂材料に赤色蛍光体及び緑色蛍光体を含有してなる第２蛍光体溶液を容器３０の開口を通して容器３０内に注入する。この容器３０内に注入される第２蛍光体溶液は、単位体積当たりの赤色蛍光体及び緑色蛍光体の含有量（含有濃度）が二番目に少ない（低い）ものとされる。ここで、容器３０のうち長さ方向について開口から最も遠い端位置には、先行して第１蛍光体溶液が注入されてその硬化が図られることで第１蛍光体含有部２９Ａが形成されているので、第２蛍光体溶液注入工程にて注入される第２蛍光体溶液は、第１蛍光体溶液と混ざり合うことがなく、第１蛍光体含有部２９Ａに対してＸ軸方向について開口に近い側に隣り合って配される。第２蛍光体溶液硬化工程では、容器３０内に注入された第２蛍光体溶液に紫外線を照射して硬化させる。これにより、第２蛍光体含有部２９Ｂが形成されるとともに、第２蛍光体含有部２９Ｂが第１蛍光体含有部２９Ａに対してＸ軸方向について開口に近い側に隣り合う位置にて固定化される。
【００６８】
第３蛍光体溶液注入工程では、図１４に示すように、光硬化性樹脂材料に赤色蛍光体及び緑色蛍光体を含有してなる第３蛍光体溶液を容器３０の開口を通して容器３０内に注入する。この容器３０内に注入される第３蛍光体溶液は、単位体積当たりの赤色蛍光体及び緑色蛍光体の含有量（含有濃度）が三番目に少ない（低い）ものとされる。ここで、容器３０内には、先行して第２蛍光体溶液が注入されてその硬化が図られることで第２蛍光体含有部２９Ｂが形成されているので、第３蛍光体溶液注入工程にて注入される第３蛍光体溶液は、第２蛍光体溶液と混ざり合うことがなく、第２蛍光体含有部２９Ｂに対してＸ軸方向について開口に近い側に隣り合って配される。第３蛍光体溶液硬化工程では、容器３０内に注入された第３蛍光体溶液に紫外線を照射して硬化させる。これにより、第３蛍光体含有部２９Ｃが形成されるとともに、第３蛍光体含有部２９Ｃが第２蛍光体含有部２９Ｂに対してＸ軸方向について開口に近い側に隣り合う位置にて固定化される。
【００６９】
第４蛍光体溶液注入工程では、図１５に示すように、光硬化性樹脂材料に赤色蛍光体及び緑色蛍光体を含有してなる第４蛍光体溶液を容器３０の開口を通して容器３０内に注入する。この容器３０内に注入される第４蛍光体溶液は、単位体積当たりの赤色蛍光体及び緑色蛍光体の含有量（含有濃度）が四番目に少ない（低い）ものとされる。ここで、容器３０内には、先行して第３蛍光体溶液が注入されてその硬化が図られることで第３蛍光体含有部２９Ｃが形成されているので、第４蛍光体溶液注入工程にて注入される第４蛍光体溶液は、第３蛍光体溶液と混ざり合うことがなく、第３蛍光体含有部２９Ｃに対してＸ軸方向について開口に近い側に隣り合って配される。第４蛍光体溶液硬化工程では、容器３０内に注入された第４蛍光体溶液に紫外線を照射して硬化させる。これにより、第４蛍光体含有部２９Ｄが形成されるとともに、第４蛍光体含有部２９Ｄが第３蛍光体含有部２９Ｃに対してＸ軸方向について開口に近い側に隣り合う位置にて固定化される。
【００７０】
第５蛍光体溶液注入工程では、図１６に示すように、光硬化性樹脂材料に赤色蛍光体及び緑色蛍光体を含有してなる第５蛍光体溶液を容器３０の開口を通して容器３０内に注入する。この容器３０内に注入される第５蛍光体溶液は、単位体積当たりの赤色蛍光体及び緑色蛍光体の含有量（含有濃度）が最も多い（高い）ものとされる。ここで、容器３０内には、先行して第４蛍光体溶液が注入されてその硬化が図られることで第４蛍光体含有部２９Ｄが形成されているので、第５蛍光体溶液注入工程にて注入される第５蛍光体溶液は、第４蛍光体溶液と混ざり合うことがなく、第４蛍光体含有部２９Ｄに対してＸ軸方向について開口に近い側に隣り合って配される。第５蛍光体溶液硬化工程では、容器３０内に注入された第５蛍光体溶液に紫外線を照射して硬化させる。これにより、第５蛍光体含有部２９Ｅが形成されるとともに、第５蛍光体含有部２９Ｅが第４蛍光体含有部２９Ｄに対してＸ軸方向について開口に近い側に隣り合う位置にて固定化される。
【００７１】
その後、封止工程を行い、図１７に示すように、容器３０における端側部分の開口を封止すべく封止部３１を形成する。この封止に際しては、容器３０と同一の無機ガラス材料からなる封止部３１と容器３０の端側部分とが加熱によって溶け合って相互に接合されるので、高い密閉性でもって容器３０の封止が図られる。これにより、容器３０内に蛍光体含有部２９が封止されてなる波長変換導光部材２０が製造される。以上のように、本実施形態では、波長変換導光部材２０の製造に際して、蛍光体の含有濃度が互いに異なる５種類の蛍光体溶液を用意し、それらの蛍光体溶液を順次に容器３０内に注入することで、蛍光体含有部２９における蛍光体の含有濃度が段階的に逐次変化する構成の波長変換導光部材２０を容易に製造することができる。このようにして製造された波長変換導光部材２０は、液晶表示装置１０を構成するバックライト装置１２内に組み込まれて使用される。
【００７２】
続いて、液晶表示装置１０に係る作用について説明する。液晶表示装置１０の電源をＯＮすると、図示しないコントロール基板のパネル制御回路により液晶パネル１１の駆動が制御されるとともに、図示しないＬＥＤ駆動基板からの駆動電力がＬＥＤ基板１８のＬＥＤ１７に供給されることでその駆動が制御される。ＬＥＤ１７から発せられた点状の光は、波長変換導光部材２０により導光されることで線状の光として導光板１９に供給され、導光板１９により導光されることで面状の光として光学部材１５に供給される。光学部材１５にて所定の光学作用を付与された面状の光は、液晶パネル１１に照射されることで、液晶パネル１１に所定の画像が表示される。以下、バックライト装置１２に係る作用について詳しく説明する。
【００７３】
ＬＥＤ１７を点灯させると、ＬＥＤ１７の発光面１７ａから発せられた青色の光（一次光）は、図７に示すように、波長変換導光部材２０のＬＥＤ対向面２０ａに入射すると、容器３０における外部の空気層との界面にて全反射されるなどして波長変換導光部材２０内をその長さ方向（Ｘ軸方向）に沿ってＬＥＤ対向面２０ａから遠ざかる向きに進行し、その過程で、容器３０内の蛍光体含有部２９に含有される緑色蛍光体及び赤色蛍光体により緑色の光及び赤色の光（二次光）へと波長変換される。この波長変換された緑色の光及び赤色の光と、ＬＥＤ１７の青色の光と、によって、概ね白色の光が得られることになる。蛍光体含有部２９にて波長変換された緑色の光及び赤色の光と、蛍光体含有部２９にて波長変換されなかった青色の光と、は、波長変換導光部材２０内を長さ方向に沿って進行する過程で、容器３０に形成された光反射パターンの光反射部にて散乱反射されることで、導光板対向面２０ｂに対する入射角が臨界角を超えない光となって導光板対向面２０ｂからの出射が促されるようになっている。波長変換導光部材２０の導光板対向面２０ｂから出射した光は、導光板１９の入光端面１９ｂの長さ方向に並行する線状の光となっており、Ｙ軸方向に沿って入光端面１９ｂへと進行して入射される。入光端面１９ｂに入射した光は、導光板１９における外部の空気層との界面にて全反射されたり、反射シート２５により反射されるなどして導光板１９内を伝播されつつ、反対板面１９ｃに形成された光反射パターンの光反射部にて散乱反射されることで、出光板面１９ａに対する入射角が臨界角を超えない光となって出光板面１９ａからの出射が促されるようになっている。導光板１９の出光板面１９ａを出射した光は、各光学部材１５を透過する過程でそれぞれ光学作用を付与された上で液晶パネル１１に対して照射される。
【００７４】
波長変換導光部材２０の作用及び効果について詳しく説明する。波長変換導光部材２０のＬＥＤ対向面２０ａに入射された光は、図７に示すように、波長変換導光部材２０内をその長さ方向に沿って進行する過程で緑色蛍光体及び赤色蛍光体により緑色の光及び赤色の光へと波長変換されて導光板対向面２０ｂから出射されることになるので、仮に波長変換導光部材における導光板対向面とは反対側の面をＬＥＤ対向面とした場合に比べると、ＬＥＤ対向面２０ａから導光板対向面２０ｂに至るまでの平均的な光路長が長いものとなる。これにより、ＬＥＤ１７の青色の光が緑色蛍光体及び赤色蛍光体によって効率的に緑色の光及び赤色の光へと波長変換されるので、緑色蛍光体及び赤色蛍光体の使用量を削減することができる。本実施形態にて用いられる緑色蛍光体及び赤色蛍光体は、いずれも色純度に優れた光を発する量子ドット蛍光体であり、部材調達コストが非常に高いものであるから、その使用量を削減することで大幅な低コスト化を図ることができる。
【００７５】
そして、波長変換導光部材２０における導光板対向面２０ｂのうち、長さ方向についてＬＥＤ１７から遠い側から出射される光は、図６及び図７に示すように、ＬＥＤ１７に近い側から出射される光に比べると、出射されるまでに緑色蛍光体及び赤色蛍光体を透過する光路長が相対的に長くなっているため、緑色蛍光体及び赤色蛍光体によって波長変換される緑色の光及び赤色の光に係る光量が相対的に多くなりがちとなり、それに起因して色味に差が生じることが懸念される。これに対し、波長変換導光部材２０は、蛍光体含有部における緑色蛍光体及び赤色蛍光体の含有濃度が長さ方向についてＬＥＤ１７から遠ざかるほど低くなっており、長さ方向についての単位長さ当たりの波長変換される光量が、長さ方向についてＬＥＤ１７から遠ざかるほど少なくなっているので、上記のように導光板対向面２０ｂのうち、長さ方向についてＬＥＤ１７から遠い側から出射される光と、ＬＥＤ１７に近い側から出射される光と、で緑色蛍光体及び赤色蛍光体を透過する光路長の差に起因して生じ得る色味の差が緩和されるようになっている。より詳しくは、ＬＥＤ対向面２０ａに入射したＬＥＤ１７の青色の光は、波長変換導光部材２０内にてＸ軸方向に沿ってＬＥＤ１７から遠ざかるよう進行する過程で、緑色蛍光体及び赤色蛍光体の含有濃度が最も高い第１蛍光体含有部２９Ａを透過すると、緑色蛍光体及び赤色蛍光体の含有濃度が二番目に高い第２蛍光体含有部２９Ｂを透過し、その後第３蛍光体含有部２９Ｃ、第４蛍光体含有部２９Ｄ、第５蛍光体含有部２９Ｅを順次に透過しており、ＬＥＤ１７から遠ざかるよう進行するほど緑色蛍光体及び赤色蛍光体による実質的な波長変換効率（単位長さ当たりの波長変換される光量）が低下している。従って、導光板対向面２０ｂのうち、Ｘ軸方向についてＬＥＤ１７から遠い側から出射される光は、ＬＥＤ１７に近い側から出射される光に比べて緑色蛍光体及び赤色蛍光体を透過する光路長が長くなっているものの、ＬＥＤ１７から遠ざかるほど緑色蛍光体及び赤色蛍光体による実質的な波長変換効率が低下することで、出射光に含まれる緑色の光及び赤色の光に係る比率が過剰に高くなることが避けられている。これにより、導光板対向面２０ｂのうち、Ｘ軸方向についてＬＥＤ１７から遠い側から出射される光が黄色味を帯び難いものとなるので、ＬＥＤ１７に近い側から出射される光との間に生じ得る色味の差が緩和され、もって導光板１９の入光端面１９ｂに入射する光及び出光板面１９ａから出射する光に色ムラが生じ難いものとなる。
【００７６】
以上説明したように本実施形態のバックライト装置（照明装置）１２は、ＬＥＤ（光源）１７と、平板状の導光板１９と、柱状の導光部材とからなり、導光板１９は、端面の少なくとも一面に光が入射される導光部材からの光が入射される入光端面１９ｂを有し、導光部材は、導光板対向面２０ｂとＬＥＤ対向面２０ａを有し、導光板対向面２０ｂは、入光端面１９ｂに対向した側面の少なくとも一部であり、ＬＥＤ対向面２０ａは、ＬＥＤ１７に対向した端面の少なくとも一部である、バックライト装置１２であって、導光部材は、ＬＥＤ１７からの光を波長変換する蛍光体を有する波長変換導光部材２０である。
【００７７】
このようにすれば、ＬＥＤ１７から発せられた光は、柱状の導光部材である波長変換導光部材２０におけるＬＥＤ対向面２０ａに入射されると、波長変換導光部材２０に有される蛍光体にて波長変換されるなどしてから波長変換導光部材２０における導光板対向面２０ｂから出射され、その後平板状の導光板１９の入光端面１９ｂに入射されて導光板１９内を導光される。このようにＬＥＤ１７とは別部材である波長変換導光部材２０が蛍光体を有しているので、蛍光体がＬＥＤ１７から発せられる熱などの影響を受け難くなっている。これにより、波長変換導光部材２０に用いる蛍光体を選定する上での自由度が増すことになるので、色純度に優れた光を発する蛍光体を用いることが可能となり、もって当該バックライト装置１２の出射光に係る色再現性を向上させる上で好適となる。
【００７８】
しかも、波長変換導光部材２０のＬＥＤ対向面２０ａに入射された光は、波長変換導光部材２０内をその長さ方向に沿って進行する過程で蛍光体により波長変換されて導光板対向面２０ｂから出射されることになるので、仮に波長変換導光部材２０における導光板対向面２０ｂとは反対側の面をＬＥＤ対向面２０ａとした場合に比べると、ＬＥＤ対向面２０ａから導光板対向面２０ｂに至るまでの光路長が長いものとなる。これにより、ＬＥＤ１７の光が蛍光体によって効率的に波長変換されるので、蛍光体の使用量を削減することができる。色純度に優れた光を発する蛍光体は、高価である場合が多いことから、その使用量を削減することで大幅な低コスト化を図ることができる。
【００７９】
また、波長変換導光部材２０は、長さ方向についての単位長さ当たりの波長変換される光量が、長さ方向についてＬＥＤ１７から遠ざかるほど少なくなる。導光板対向面２０ｂのうち、長さ方向についてＬＥＤ１７から遠い側から出射される光は、近い側から出射される光に比べると、出射されるまでに蛍光体を透過する光路長が相対的に長くなっているため、蛍光体によって波長変換される光量が相対的に多くなりがちとなり、それに起因して色味に差が生じることが懸念される。これに対し、波長変換導光部材２０は、長さ方向についての単位長さ当たりの波長変換される光量が、長さ方向についてＬＥＤ１７から遠ざかるほど少なくなっているので、上記のように導光板対向面２０ｂのうち、長さ方向についてＬＥＤ１７から遠い側から出射される光と、ＬＥＤ１７に近い側から出射される光と、で蛍光体を透過する光路長の差に起因して生じ得る色味の差が緩和される。これにより、導光板１９の入光端面１９ｂに入射する光に色ムラが生じ難いものとなる。
【００８０】
また、波長変換導光部材２０は、蛍光体を含有する蛍光体含有部２９と、蛍光体含有部２９が収容される容器３０と、を少なくとも有しており、蛍光体含有部２９は、蛍光体の含有濃度が、長さ方向についてＬＥＤ１７から遠ざかるほど低くなる。このようにすれば、導光板対向面２０ｂのうち、長さ方向についてＬＥＤ１７から遠い側から出射される光は、ＬＥＤ１７に近い側から出射される光に比べると、出射されるまでに蛍光体を透過する光路長が長くなるものの、蛍光体含有部２９における蛍光体の含有濃度が長さ方向についてＬＥＤ１７から遠ざかるほど低くなっているので、過度に波長変換されることが抑制される。これにより、導光板１９の入光端面１９ｂに入射する光に色ムラが生じ難いものとなる。
【００８１】
また、蛍光体含有部２９は、蛍光体の含有濃度が、長さ方向についてＬＥＤ１７から遠ざかるのに従って段階的に逐次低くなる。このようにすれば、波長変換導光部材２０の製造に際して、蛍光体含有部２９を長さ方向について蛍光体の含有濃度が異なる複数の部分に分けて容器３０内に収容することが可能となる。これにより、波長変換導光部材２０の製造が容易なものとなる。
【００８２】
また、容器３０は、太さ及び厚みが長さ方向について一定とされる。このようにすれば、容器３０に係る製造コストが安価なものとなる。また、容器３０の太さが長さ方向について一定とされることで、導光板対向面２０ｂと入光端面１９ｂとの位置関係を長さ方向について一定に維持する上で好適となり、入光端面１９ｂへの入光効率を安定化させることができる。
【００８３】
また、ＬＥＤ１７は、青色の光を発するものとされており、波長変換導光部材２０は、蛍光体として、青色の光を緑色の光に波長変換する緑色蛍光体及び青色の光を赤色の光に波長変換する赤色蛍光体と、青色の光を黄色の光に波長変換する黄色蛍光体と、の少なくともいずれか一方を有する。このようにすれば、ＬＥＤ１７から発せられた青色の光は、波長変換導光部材２０のＬＥＤ対向面２０ａから入射されると、波長変換導光部材２０に緑色蛍光体及び赤色蛍光体が含有される場合は緑色の光及び赤色の光に、黄色蛍光体が含有される場合は黄色の光に、波長変換されるなどしてから波長変換導光部材２０における導光板対向面２０ｂから出射される。
【００８４】
また、波長変換導光部材２０は、蛍光体として量子ドット蛍光体を有している。このようにすれば、波長変換導光部材２０による光の波長変換効率がより高いものとなるとともに、波長変換された光の色純度が高いものとなる。
【００８５】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２からの光の色再現性が向上されているから、表示品位に優れた表示を実現することができる。
【００８６】
本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００８７】
＜実施形態２＞
本発明の実施形態２を図１８から図２４によって説明する。この実施形態２では、波長変換導光部材１２０の構成を変更したものを示す。なお、上記した実施形態１と同様の構造、作用及び効果について重複する説明は省略する。
【００８８】
本実施形態に係る波長変換導光部材１２０は、図１８及び図１９に示すように、容器１３０における長さ方向（Ｘ軸方向）についての単位長さ当たりの内部空間の容積が、長さ方向についてＬＥＤ１１７から遠ざかる（底部１３０ａに近づくほど）ほど小さくなるものとされる。具体的には、容器１３０は、その太さが長さ方向について一定とされるとともに、厚みが長さ方向についてＬＥＤ１１７から遠ざかるほど大きくなる（厚くなる）ことで、内部空間の容積が上記のようにＬＥＤ１１７に対する位置関係に応じて変化するものとされる。容器１３０は、その外形に関しては、上記した実施形態１に記載されたものと同様であり、導光板対向面１２０ｂが導光板１１９の入光端面１１９ｂに並行していて、入光端面１１９ｂとの間の距離がＸ軸方向について全長にわたって一定に保たれている。一方、容器１３０は、その内部空間が略円錐状となるよう内周面が外周面（導光板対向面１２０ｂを含む）に対して傾斜状をなしているので、仮に容器の内周面が段付き状に形成された場合に比べると、容器１３０の製造が容易なものとなる。つまり、容器１３０は、長さ方向についての単位長さ当たりの内部空間の容積が、長さ方向についてＬＥＤ１１７から遠ざかるのに従って連続的に漸次小さくなるものとされる。従って、容器１３０内に充填される蛍光体含有部１２９は、全体として略円錐状をなしており、その高さ寸法及び幅寸法が、長さ方向についてＬＥＤ１１７から遠ざかるのに従って連続的に漸次減少するものとされる。つまり、蛍光体含有部１２９は、波長変換導光部材１２０における長さ方向についての単位長さ当たりの容積が、長さ方向についてＬＥＤ１１７から遠ざかるのに従って連続的に漸次減少している。蛍光体含有部１２９は、その長さ方向に沿って切断した断面形状、具体的にはＸ軸方向及びＹ軸方向に沿って切断した断面形状と、Ｘ軸方向及びＺ軸方向に沿って切断した断面形状と、がそれぞれ略三角形とされている。
【００８９】
そして、蛍光体含有部１２９は、図２０に示すように、蛍光体の含有濃度が全域にわたって一定とされている。このようにすれば、上記した実施形態１のように波長変換導光部材の製造に際して蛍光体の含有濃度が異なる蛍光体溶液を５種類用意した場合に比べると、蛍光体溶液が１種類で済むので、波長変換導光部材１２０に係る製造コストを低廉化する上で好適となる。蛍光体含有部１２９は、蛍光体の含有濃度が上記のように一定であっても、波長変換導光部材１２０における長さ方向についての単位長さ当たりの容積が、長さ方向についてＬＥＤ１１７から遠ざかるのに従って連続的に漸次減少しているので、図２１に示すように、長さ方向についての単位長さ当たりの波長変換される光量も、長さ方向についてＬＥＤ１１７から遠ざかるのに従って連続的に漸次減少する傾向となっている。従って、蛍光体含有部１２９において長さ方向についての単位長さ当たりの波長変換される光量は、Ｘ軸方向についてＬＥＤ１１７に最も近い位置（封止部１３１付近）にて最多となり、Ｘ軸方向についてＬＥＤ１１７から最も遠い位置（底部１３０ａ付近）にて最少となる。
【００９０】
導光板対向面１２０ｂのうち、長さ方向についてＬＥＤ１１７から遠い側から出射される光は、ＬＥＤ１１７に近い側から出射される光に比べると、出射されるまでに蛍光体を透過する光路長が長くなるものの、容器１３０における長さ方向についての単位長さ当たりの内部空間の容積及び蛍光体含有部１２９の容積が長さ方向についてＬＥＤ１１７から遠ざかるのに従って連続的に漸次減少することで、過度に波長変換されることがより好適に抑制される。これにより、導光板１１９の入光端面１１９ｂに入射する光に色ムラが生じ難いものとなる。
【００９１】
上記のような構成の波長変換導光部材１２０の製造方法は、容器１３０を製造する容器製造工程と、容器１３０内に開口を通して蛍光体溶液を注入する蛍光体溶液注入工程と、注入した蛍光体溶液を硬化させる蛍光体溶液硬化工程と、容器１３０における開口を封止する封止工程と、を備える。容器製造工程では、図２２に示すように、厚みが長さ方向について開口から遠ざかって底部１３０ａに近づくほど大きくなるとともに、内部空間の容積が長さ方向について開口から遠ざかって底部１３０ａに近づくほど小さい容器１３０を製造している。蛍光体溶液注入工程では、光硬化性樹脂材料に赤色蛍光体及び緑色蛍光体を含有してなる蛍光体溶液を、容器１３０における開口を通して容器１３０内に注入する。この蛍光体溶液注入工程にて用いられる蛍光体溶液は、１種類のみであり、図２３に示すように、その蛍光体溶液が容器１３０のほぼ全長にわたって注入される。蛍光体溶液硬化工程では、容器１３０内に注入した蛍光体溶液に紫外線を照射してその硬化を促す。形成された蛍光体含有部１２９は、赤色蛍光体及び緑色蛍光体の含有濃度が全域にわたって一定とされるものの、長さ方向についての単位長さ当たりの容積が、開口から遠ざかって底部１３０ａに近づくほど小さくなっている。封止工程では、容器１３０における端側部分の開口に封止部１３１を形成し、両開口の封止を図る。以上のように、本実施形態の波長変換導光部材１２０の製造方法によれば、蛍光体注入工程及び蛍光体硬化工程が１回ずつで済むので、製造に係る時間を短縮化し易くなるとともに、容器１３０内に注入する蛍光体溶液も１種類で済むので、製造に係るコストが低廉化される。
【００９２】
以上説明したように本実施形態によれば、波長変換導光部材１２０は、蛍光体を含有する蛍光体含有部１２９と、蛍光体含有部１２９が収容される容器１３０と、を少なくとも有しており、容器１３０は、長さ方向についての単位長さ当たりの内部空間の容積が、長さ方向についてＬＥＤ１１７から遠ざかるほど小さくなる。このようにすれば、導光板対向面１２０ｂのうち、長さ方向についてＬＥＤ１１７から遠い側から出射される光は、ＬＥＤ１１７に近い側から出射される光に比べると、出射されるまでに蛍光体を透過する光路長が長くなるものの、容器１３０における長さ方向についての単位長さ当たりの内部空間の容積が長さ方向についてＬＥＤ１１７から遠ざかるほど小さくなっているので、過度に波長変換されることが抑制される。これにより、導光板１１９の入光端面１１９ｂに入射する光に色ムラが生じ難いものとなる。
【００９３】
また、容器１３０は、長さ方向についての単位長さ当たりの内部空間の容積が、長さ方向についてＬＥＤ１１７から遠ざかるのに従って連続的に漸次小さくなる。このようにすれば、導光板１１９の入光端面１１９ｂに入射する光に色ムラがより生じ難いものとなる。また、波長変換導光部材１２０を構成する容器１３０の製造が容易なものとなる。
【００９４】
また、容器１３０は、太さが長さ方向について一定とされるとともに、厚みが長さ方向についてＬＥＤ１１７から遠ざかるほど大きくなる。このようにすれば、容器１３０の太さが長さ方向について一定とされることで、導光板対向面１２０ｂと入光端面１１９ｂとの位置関係を長さ方向について一定に維持する上で好適となり、入光端面１１９ｂへの入光効率を安定化させることができる。また、容器１３０の厚みが長さ方向についてＬＥＤ１１７から遠ざかるほど大きくなることで、内部空間の容積が長さ方向についてＬＥＤ１１７から遠ざかるほど小さくなる。
【００９５】
また、蛍光体含有部１２９は、蛍光体の含有濃度が一定とされる。このようにすれば、波長変換導光部材１２０に係る製造コストを低廉化する上で好適となる。
【００９６】
＜実施形態３＞
本発明の実施形態３を図２５から図２８によって説明する。この実施形態３では、上記した実施形態１からＬＥＤ２１７及びＬＥＤ基板２１８の設置数などを変更したものを示す。なお、上記した実施形態１と同様の構造、作用及び効果について重複する説明は省略する。
【００９７】
本実施形態に係るＬＥＤ２１７及びＬＥＤ基板２１８は、図２５及び図２６に示すように、波長変換導光部材２２０をその長さ方向（Ｘ軸方向）について両側から挟み込む形で一対ずつ備えられている。従って、波長変換導光部材２２０は、長さ方向についての両端面がそれぞれＬＥＤ対向面２２０ａとされる。つまり、波長変換導光部材２２０のうち、封止部２３１の外面と、容器２３０の底部２３０ａの外面と、がそれぞれＬＥＤ対向面２２０ａとされる。そして、波長変換導光部材２２０は、長さ方向についての単位長さ当たりの波長変換される光量が、長さ方向についての中央位置にて最少となっている。
【００９８】
詳しくは、波長変換導光部材２２０を構成する蛍光体含有部２２９は、図２５から図２７に示すように、長さ方向について各ＬＥＤ２１７のいずれからも最も遠い中央側部分が、蛍光体の含有濃度が最も低い第１蛍光体含有部２２９Ａとされ、各ＬＥＤ２１７に最も近い両端側部分が、それぞれ蛍光体の含有濃度が最も高い一対の第３蛍光体含有部２２９Ｃとされ、さらには第１蛍光体含有部２２９Ａと各第３蛍光体含有部２２９Ｃとの中間に位置する部分が、蛍光体の含有濃度が二番目に低い（高い）一対の第２蛍光体含有部２２９Ｂとされる。第１蛍光体含有部２２９Ａは、Ｘ軸方向についての単位長さ当たりの蛍光体の含有量が最も少なくなることで単位長さ当たりの波長変換される光量が最も少なくなり、第２蛍光体含有部２２９Ｂは、Ｘ軸方向についての単位長さ当たりの蛍光体の含有量が二番目に少なくなることで単位長さ当たりの波長変換される光量が二番目に少なくなり、第３蛍光体含有部２２９Ｃは、Ｘ軸方向についての単位長さ当たりの蛍光体の含有量が最も多くなることで単位長さ当たりの波長変換される光量が最も多くなっている。そして、波長変換導光部材２２０において長さ方向についての単位長さ当たりの波長変換される光量は、図２８に示すように、各ＬＥＤ２１７から遠ざかるのに従って３段階でもって段階的に逐次少なくなるものとされる。なお、本実施形態においては、各蛍光体含有部２２９Ａ〜２２９ＣにおけるＸ軸方向についての形成範囲は、互いに概ね等しいものとされる。
【００９９】
このような構成によれば、各ＬＥＤ２１７から発せられてＬＥＤ対向面２２０ａに入射した青色の光は、波長変換導光部材２２０内にてＸ軸方向に沿って各ＬＥＤ２１７からそれぞれ遠ざかるよう進行する過程で、緑色蛍光体及び赤色蛍光体の含有濃度が最も高い各第１蛍光体含有部２２９Ａを透過すると、緑色蛍光体及び赤色蛍光体の含有濃度が二番目に高い各第２蛍光体含有部２２９Ｂを透過し、その後緑色蛍光体及び赤色蛍光体の含有濃度が最も低い第３蛍光体含有部２２９Ｃを透過しており、ＬＥＤ２１７から遠ざかるよう進行するほど緑色蛍光体及び赤色蛍光体による実質的な波長変換効率（単位長さ当たりの波長変換される光量）が低下している。従って、導光板対向面２２０ｂのうち、Ｘ軸方向についてＬＥＤ２１７から遠い中央側部分から出射される光は、ＬＥＤ２１７に近い両端側部分から出射される光に比べて緑色蛍光体及び赤色蛍光体を透過する光路長が長くなっているものの、ＬＥＤ２１７から遠ざかるほど緑色蛍光体及び赤色蛍光体による実質的な波長変換効率が低下することで、出射光に含まれる緑色の光及び赤色の光に係る比率が過剰に高くなることが避けられている。これにより、導光板対向面２２０ｂのうち、Ｘ軸方向についてＬＥＤ２１７から遠い中央側部分から出射される光が黄色味を帯び難いものとなるので、ＬＥＤ２１７に近い両端側部分から出射される光との間に生じ得る色味の差が緩和され、もって導光板２１９の入光端面２１９ｂに入射する光及び出光板面から出射する光に色ムラが生じ難いものとなる。
【０１００】
以上説明したように本実施形態によれば、ＬＥＤ２１７は、波長変換導光部材２２０を長さ方向について両側から挟み込む形で一対備えられており、波長変換導光部材２２０は、長さ方向についての両端面がそれぞれＬＥＤ対向面２２０ａとされるとともに、長さ方向についての単位長さ当たりの波長変換される光量が、長さ方向についての中央位置にて最少となる。このようにすれば、導光板対向面２２０ｂのうち、長さ方向について各ＬＥＤ２１７から遠い中央側から出射される光は、各ＬＥＤ２１７に近い側から出射される光に比べると、出射されるまでに蛍光体を透過する光路長が長くなるものの、波長変換導光部材２２０において長さ方向についての単位長さ当たりの波長変換される光量が、長さ方向についての中央位置にて最少となっているので、過度に波長変換されることが抑制される。これにより、導光板２１９の入光端面２１９ｂに入射する光に色ムラが生じ難いものとなる。
【０１０１】
＜実施形態４＞
本発明の実施形態４を図２９または図３０によって説明する。この実施形態４では、上記した実施形態３から波長変換導光部材３２０の設置数を変更したものを示す。なお、上記した実施形態３と同様の構造、作用及び効果について重複する説明は省略する。
【０１０２】
本実施形態に係る波長変換導光部材３２０は、図２９及び図３０に示すように、導光板３１９の入光端面３１９ｂの長さ方向に沿って２本が互いに隣り合う形で並んで配されている。２本の波長変換導光部材３２０は、互いの軸線がほぼ一致する形で、Ｘ軸方向に沿って直線的に並んで配置されている。このように２本の波長変換導光部材３２０を用いるようにすれば、より大型のバックライト装置３１２に好適とされる。２本の波長変換導光部材３２０は、各封止部３３１がバックライト装置３１２におけるＸ軸方向（入光端面３１９ｂにおける長さ方向）についての両外側（両端）に配されるのに対し、各容器３３０の底部３３０ａがバックライト装置３１２におけるＸ軸方向についての中央側にて互いに隣接するよう配されている。２本の波長変換導光部材３２０における各封止部３３１の外面がそれぞれＬＥＤ３１７と対向するＬＥＤ対向面３２０ａとされる。なお、各波長変換導光部材３２０における蛍光体含有部３２９の構成は、上記した実施形態１に記載されたものと同様であり、それぞれ５段階でもって蛍光体の含有濃度が段階的に逐次変化するものとされる。
【０１０３】
＜実施形態５＞
本発明の実施形態５を図３１によって説明する。この実施形態５では、上記した実施形態１からＬＥＤ４１７、ＬＥＤ基板４１８及び波長変換導光部材４２０の設置数を変更したものを示す。なお、上記した実施形態１と同様の構造、作用及び効果について重複する説明は省略する。
【０１０４】
本実施形態に係るバックライト装置４１２では、図３１に示すように、ＬＥＤ４１７、ＬＥＤ基板４１８及び波長変換導光部材４２０が、長辺側の両端部にそれぞれ配された構成となっている。詳しくは、一対の波長変換導光部材４２０は、導光板４１９の外周端面のうちの一対の長辺側の端面のそれぞれと対向する形で配されている。従って、本実施形態では、導光板４１９の外周端面のうちの一対の長辺側の端面のそれぞれが波長変換導光部材４２０からの光が入射される入光端面４１９ｂとされるのに対し、残りの一対の短辺側の端面が非入光端面４１９ｄとされる。従って、本実施形態に係る非入光端面４１９ｄには、上記した実施形態１のような非入光反対端面１９ｄ１（図３を参照）が含まれることがなく、入光端面４１９ｂに隣り合う一対の非入光側端面４１９ｄ２のみが含まれている。このように本実施形態に係るバックライト装置４１２は、導光板４１９がその短辺方向（Ｙ軸方向）についての両側から一対の波長変換導光部材４２０によって挟み込まれてなる、両側入光タイプとされている。一対ずつのＬＥＤ４１７及びＬＥＤ基板４１８は、バックライト装置４１２における対角をなす一対の角部に配置されており、それらのＬＥＤ４１７が各波長変換導光部材４２０におけるＬＥＤ対向面４２０ａと対向するものとされる。
【０１０５】
＜実施形態６＞
本発明の実施形態６を図３２または図３３によって説明する。この実施形態６では、上記した実施形態１から波長変換導光部材５２０の構成を変更したものを示す。なお、上記した実施形態１と同様の構造、作用及び効果について重複する説明は省略する。
【０１０６】
本実施形態に係る波長変換導光部材５２０は、図３２及び図３３に示すように、容器５３０の太さが長さ方向（Ｘ軸方向）についてＬＥＤ５１７から遠ざかるほど小さくなる（細くなる）ものとされており、それにより容器５３０における長さ方向についての単位長さ当たりの内部空間の容積が、長さ方向についてＬＥＤ５１７から遠ざかるほど小さくなっている。容器５３０は、太さが上記のようにＬＥＤ５１７に対する位置関係に応じて変化するのに対し、厚みが長さ方向について一定とされている。従って、容器５３０は、その外形が内部空間及び蛍光体含有部５２９と同様に略円錐状をなしており、それに伴って導光板対向面５２０ｂが導光板５１９の入光端面５１９ｂに対して傾斜状をなしている。このような構成により、波長変換導光部材５２０は、ＬＥＤ５１７側とは反対側の端部側ほど先細り状の外観とされる。
【０１０７】
＜実施形態７＞
本発明の実施形態７を図３４から図３７によって説明する。この実施形態７では、上記した実施形態１から波長変換導光部材６２０の構成を変更したものを示す。なお、上記した実施形態１と同様の構造、作用及び効果について重複する説明は省略する。
【０１０８】
本実施形態に係る波長変換導光部材６２０は、図３４及び図３５に示すように、蛍光体含有部６２９に対して長さ方向（Ｘ軸方向）についてＬＥＤ６１７から遠い側に配され、蛍光体（赤色蛍光体及び緑色蛍光体）を含有しない蛍光体非含有部３２を有している。この蛍光体非含有部３２は、蛍光体を含有しない、ほぼ透明な紫外線硬化性樹脂材料からなる。蛍光体非含有部３２を構成する紫外線硬化性樹脂材料は、蛍光体含有部６２９を構成する紫外線硬化性樹脂材料と同一材料とされるのが好ましい。蛍光体非含有部３２は、容器６３０の内部空間において底部６３０ａに隣接する位置、つまりＬＥＤ６１７から長さ方向について最も遠い位置に配されている。本実施形態に係る蛍光体含有部６２９は、図３４から図３６に示すように、蛍光体の含有濃度が４段階でもって変化するものとされており、長さ方向についてＬＥＤ６１７に近い側から、第４蛍光体含有部６２９Ｄ、第３蛍光体含有部６２９Ｃ、第２蛍光体含有部６２９Ｂ、第１蛍光体含有部６２９Ａの順で蛍光体の含有濃度が段階的に逐次低下するものとされる。そして、蛍光体を含有しない蛍光体非含有部３２は、蛍光体の含有濃度が最も低い第１蛍光体含有部６２９Ａに対して長さ方向について蛍光体の含有濃度が二番目に低い第２蛍光体含有部６２９Ｂ側（ＬＥＤ６１７側）とは反対側に隣り合う形で配されている。従って、波長変換導光部材６２０において長さ方向について単位長さ当たりの波長変換される光量は、図３７に示すように、ＬＥＤ６１７から遠ざかるのに従って４段階でもって段階的に逐次少なくなり、ＬＥＤ６１７から最も遠い部分（蛍光体非含有部３２）では同波長変換される光量がほぼ０、つまりＬＥＤ６１７の青色の光が波長変換されることがないものとされる。また、蛍光体非含有部３２における長さ方向についての形成範囲は、各蛍光体含有部６２９Ａ〜６２９Ｄの同形成範囲とほぼ同じとされる。
【０１０９】
このような構成によれば、ＬＥＤ６１７から発せられて波長変換導光部材６２０のＬＥＤ対向面６２０ａに入射された青色の光は、波長変換導光部材６２０内をその長さ方向に沿ってＬＥＤ６１７から遠ざかるよう進行する過程で、先に蛍光体（赤色蛍光体及び緑色蛍光体）を含有する蛍光体含有部６２９を透過してそこで赤色の光や緑色の光に波長変換されてから、蛍光体を含有しない蛍光体非含有部３２を透過することになる。ここで、本実施形態では、蛍光体含有部６２９のうち、長さ方向についてＬＥＤ６１７から最も遠くに位置して最も蛍光体の含有濃度が低い第１蛍光体含有部６２９Ａを透過した光が十分に波長変換されて導光板対向面６２０ｂからの出射光が白色化されるよう、蛍光体含有部６２９を構成する各蛍光体含有部６２９Ａ〜６２９Ｄにおける蛍光体の含有濃度が調整されているため、仮に第１蛍光体含有部６２９Ａを透過した光の波長変換がそれ以上促進されると出射光が黄色味を帯びるおそれがある。その点、本実施形態では、第１蛍光体含有部６２９Ａを透過した光は、蛍光体を含有しない蛍光体非含有部３２を透過することになるから、蛍光体非含有部３２を透過する過程で光の波長変換が促進されることがないものとされる。従って、導光板対向面６２０ｂのうち、長さ方向についてＬＥＤ６１７から遠い側から出射される光が蛍光体によって過度に波長変換されたものとは一層なり難くなり、ＬＥＤ６１７に近い側から出射される光との間に生じ得る色味の差が一層好適に緩和されるようになっている。
【０１１０】
以上説明したように本実施形態によれば、波長変換導光部材６２０は、蛍光体含有部６２９に対して長さ方向についてＬＥＤ６１７から遠い側に配され、蛍光体を含有しない蛍光体非含有部３２を有している。このようにすれば、波長変換導光部材６２０のＬＥＤ対向面６２０ａに入射された光は、波長変換導光部材６２０内をその長さ方向に沿ってＬＥＤ６１７から遠ざかるよう進行する過程で、先に蛍光体を含有する蛍光体含有部６２９を透過してから、蛍光体を含有しない蛍光体非含有部３２を透過することになる。従って、導光板対向面６２０ｂのうち、長さ方向についてＬＥＤ６１７から遠い側から出射される光が蛍光体によって過度に波長変換されたものとは一層なり難くなり、ＬＥＤ６１７に近い側から出射される光との間に生じ得る色味の差が一層好適に緩和される。
【０１１１】
＜実施形態８＞
本発明の実施形態８を図３８から図４０によって説明する。この実施形態８では、上記した実施形態１から液晶表示装置７１０の構成を変更したものを示す。なお、上記した実施形態１と同様の構造、作用及び効果について重複する説明は省略する。
【０１１２】
本実施形態に係る液晶表示装置７１０に備わるバックライト装置（照明装置）７１２は、図３８及び図３９に示すように、シャーシ７１４の光出射部７１４ｂ（光学部材７１５）の直下となる位置に、上記した実施形態１に記載された導光板１９（図４を参照）に代えて波長変換導光部材（導光部材）７２０が配置された構成となっている。波長変換導光部材７２０は、直線状に延在する柱状（棒状、線状、チューブ状）をなしており、その長さ方向がＸ軸方向と一致する姿勢でシャーシ７１４内に収容されている。波長変換導光部材７２０は、図４０に示すように、その長さ方向と直交する方向に沿って切断した断面形状が円形状をなしており、全体として円柱状をなしている。つまり、波長変換導光部材７２０は、外形が冷陰極管に近似しており、その太さ（外径寸法）も冷陰極管と同等（例えば２ｍｍ〜３ｍｍの範囲程度）とされている。このようにすれば、波長変換導光部材７２０の製造が容易になるとともに、波長変換導光部材７２０の出射光に係る輝度均一性に優れる。波長変換導光部材７２０は、図３８及び図４０に示すように、シャーシ７１４内において長さ方向と直交するＹ軸方向（直交方向）に沿って複数（図３８では７本）がほぼ一定の配列ピッチ（間隔）を空けた形で並んで配列されている。各波長変換導光部材７２０は、図示しないクリップ部材によってシャーシ７１４の底部７１４ａに固定されている。なお、各波長変換導光部材７２０と底部７１４ａとの間には、底部７１４ａの表側の板面を覆う形で配されるとともに光を表側へ向けて反射する反射シート（反射部材）７２５が介在する形で配されている。
【０１１３】
ＬＥＤ（光源）７１７は、図３８及び図３９に示すように、波長変換導光部材７２０における長さ方向についての端面との間に一定の間隔を空けた位置にて同端面と対向状に配されている。ＬＥＤ７１７は、波長変換導光部材７２０をその長さ方向について両側から挟み込む形で対をなして配されている。つまり、波長変換導光部材７２０における長さ方向についての両端面は、それぞれＬＥＤ７１７と対向してＬＥＤ７１７からの光が入射される入光面（光源対向面）３３とされている。これに対し、波長変換導光部材７２０のうち、表側、つまり光出射部７１４ｂ側を向いた側面が光を出射する出光面３４とされる。出光面３４は、図４０に示すように、断面形状が円形状をなす波長変換導光部材７２０の外周面のうち、表側を向いた半円状領域を占める。波長変換導光部材７２０の出光面３４は、シャーシ７１４の光出射部７１４ｂに配された光学部材７１５と対向状に配されている。また、波長変換導光部材７２０のうち、裏側、つまり出光面３４側とは反対側の側面が反対面（出光反対面）３５とされている。反対面３５は、断面形状が円形状をなす波長変換導光部材７２０の外周面のうち、裏側を向いた半円状領域（出光面３４以外の領域）を占める。この反対面３５には、出光面３４からの出光を促すための光反射部からなる光反射パターン（図示せず）が形成されている。光反射パターンに係る具体的な構成は、上記した実施形態１に記載されたものと同様であり、光反射ドットの分布密度が、Ｘ軸方向について入光面３３（長さ方向の両端位置）から遠ざかるほど（長さ方向の中央位置に近づくほど）低くなり、逆に入光面３３に近づくほど高くなる傾向にある。また、ＬＥＤ７１７は、図３８に示すように、Ｙ軸方向について波長変換導光部材７２０の配列ピッチとほぼ同じ間隔を空けて波長変換導光部材７２０の並列数と同数並んだ形でＬＥＤ基板（光源基板）７１８に実装されている。従って、ＬＥＤ基板７１８は、ＬＥＤ７１７の並び方向であるＹ軸方向に沿って延在し、一対がシャーシ７１４における短辺側の一対の側部７１４ｃにそれぞれ取り付けられており、ＬＥＤ７１７の実装面が波長変換導光部材７２０側を向いている。
【０１１４】
以上のような構成によれば、各ＬＥＤ７１７から発せられた光は、図３９に示すように、波長変換導光部材７２０における各入光面３３に入射されると、波長変換導光部材７２０に有される蛍光体にて波長変換されるなどしてから波長変換導光部材７２０における出光面３４から出射され、シャーシ７１４の光出射部７１４ｂから出射光として表側の液晶パネル７１１に照射される。このようにＬＥＤ７１７とは別部材である波長変換導光部材７２０が蛍光体を有しているので、蛍光体がＬＥＤ７１７から発せられる熱などの影響を受け難くなっている。これにより、波長変換導光部材７２０に用いる蛍光体を選定する上での自由度が増すことになるので、色純度に優れた光を発する蛍光体を用いることが可能となり、もってバックライト装置７１２の出射光に係る色再現性を向上させる上で好適となる。しかも、波長変換導光部材７２０の入光面３３に入射された光は、柱状の波長変換導光部材７２０内をその長さ方向に沿って進行する過程で蛍光体により波長変換されて出光面３４から出射されることになるので、仮に波長変換導光部材における出光面とは反対側の側面を入光面とした場合に比べると、入光面３３から出光面３４に至るまでの光路長が長いものとなる。これにより、ＬＥＤ７１７の光が蛍光体によって効率的に波長変換されるので、蛍光体の使用量を削減することができる。色純度に優れた光を発する蛍光体は、高価である場合が多いことから、その使用量を削減することで大幅な低コスト化を図ることができる。さらには、ＬＥＤ７１７からの光が波長変換導光部材７２０を経て光出射部７１４ｂから出射されていて、上記した実施形態１に記載されたような導光板１９を経ることがないので、漏れ光が生じ難く、光の利用効率が向上し、もって高輝度化を図ることができる。
【０１１５】
波長変換導光部材７２０は、図３８及び図３９に示すように、上記した実施形態１に記載されたものと同様に、蛍光体含有部７２９、容器７３０及び封止部７３１を有している。このうち、蛍光体含有部７２９は、上記した実施形態３に記載されたものと同様に、Ｘ軸方向についての単位長さ当たりの蛍光体の含有量及び波長変換される光量が３段階でもって段階的に逐次変化する。具体的には、蛍光体含有部７２９は、長さ方向について各ＬＥＤ７１７のいずれからも最も遠い中央側部分が、蛍光体の含有濃度が最も低い第１蛍光体含有部７２９Ａとされ、各ＬＥＤ７１７に最も近い両端側部分が、それぞれ蛍光体の含有濃度が最も高い一対の第３蛍光体含有部７２９Ｃとされ、さらには第１蛍光体含有部７２９Ａと各第３蛍光体含有部７２９Ｃとの中間に位置する部分が、蛍光体の含有濃度が二番目に低い（高い）一対の第２蛍光体含有部７２９Ｂとされる。このような構成によれば、各ＬＥＤ７１７から発せられて波長変換導光部材７２０の各入光面３３に入射した青色の光は、波長変換導光部材７２０内にてＸ軸方向に沿って各ＬＥＤ７１７からそれぞれ遠ざかるよう進行する過程で、緑色蛍光体及び赤色蛍光体の含有濃度が最も高い各第１蛍光体含有部７２９Ａを透過すると、緑色蛍光体及び赤色蛍光体の含有濃度が二番目に高い各第２蛍光体含有部７２９Ｂを透過し、その後緑色蛍光体及び赤色蛍光体の含有濃度が最も低い第３蛍光体含有部７２９Ｃを透過しており、ＬＥＤ７１７から遠ざかるよう進行するほど緑色蛍光体及び赤色蛍光体による実質的な波長変換効率（単位長さ当たりの波長変換される光量）が低下している。従って、出光面３４のうち、Ｘ軸方向についてＬＥＤ７１７から遠い中央側部分から出射される光は、ＬＥＤ７１７に近い両端側部分から出射される光に比べて緑色蛍光体及び赤色蛍光体を透過する光路長が長くなっているものの、ＬＥＤ７１７から遠ざかるほど緑色蛍光体及び赤色蛍光体による実質的な波長変換効率が低下することで、出射光に含まれる緑色の光及び赤色の光に係る比率が過剰に高くなることが避けられている。これにより、出光面３４のうち、Ｘ軸方向についてＬＥＤ７１７から遠い中央側部分から出射される光が黄色味を帯び難いものとなるので、ＬＥＤ７１７に近い両端側部分から出射される光との間に生じ得る色味の差が緩和され、もって出光面３４から出射する光に色ムラが生じ難いものとなる。
【０１１６】
以上説明したように本実施形態のバックライト装置（照明装置）７１２は、ＬＥＤ（光源）７１７と、柱状の導光部材と、光を出射させる光出射部７１４ｂと、を備え、導光部材は、光出射部７１４ｂの直下に配され、ＬＥＤ７１７と対向する端面が入光面３３とされ、光出射部７１４ｂ側を向いた側面が出光面３４とされるバックライト装置７１２であって、導光部材は、ＬＥＤ７１７からの光を波長変換する蛍光体を有する波長変換導光部材７２０である。
【０１１７】
このようにすれば、ＬＥＤ７１７から発せられた光は、波長変換導光部材７２０における入光面３３に入射されると、波長変換導光部材７２０に有される蛍光体にて波長変換されるなどしてから波長変換導光部材７２０における出光面３４から出射され、光出射部７１４ｂから出射光として外部へ放たれる。このようにＬＥＤ７１７とは別部材である波長変換導光部材７２０が蛍光体を有しているので、蛍光体がＬＥＤ７１７から発せられる熱などの影響を受け難くなっている。これにより、波長変換導光部材７２０に用いる蛍光体を選定する上での自由度が増すことになるので、色純度に優れた光を発する蛍光体を用いることが可能となり、もって当該バックライト装置７１２の出射光に係る色再現性を向上させる上で好適となる。
【０１１８】
しかも、波長変換導光部材７２０の入光面３３に入射された光は、柱状の波長変換導光部材７２０内をその長さ方向に沿って進行する過程で蛍光体により波長変換されて出光面３４から出射されることになるので、仮に波長変換導光部材における出光面とは反対側の面を入光面とした場合に比べると、入光面３３から出光面３４に至るまでの光路長が長いものとなる。これにより、ＬＥＤ７１７の光が蛍光体によって効率的に波長変換されるので、蛍光体の使用量を削減することができる。色純度に優れた光を発する蛍光体は、高価である場合が多いことから、その使用量を削減することで大幅な低コスト化を図ることができる。さらには、ＬＥＤ７１７からの光が波長変換導光部材７２０を経て光出射部７１４ｂから出射されるので、漏れ光が生じ難く、光の利用効率が向上し、もって高輝度化を図ることができる。
【０１１９】
また、波長変換導光部材７２０は、断面形状が円形とされる。このようにすれば、波長変換導光部材７２０の製造が容易になるとともに、出光面３４から出射される光に係る輝度均一性に優れる。
【０１２０】
＜実施形態９＞
本発明の実施形態９を図４１または図４２によって説明する。この実施形態９では、上記した実施形態８からＬＥＤ８１７の駆動方法を変更したものを示す。なお、上記した実施形態８と同様の構造、作用及び効果について重複する説明は省略する。
【０１２１】
本実施形態に係る液晶表示装置８１０は、図４１に示すように、画像信号を処理する画像信号処理部３６と、液晶パネル８１１の駆動を制御する液晶パネル制御部（表示パネル制御部）３７と、ＬＥＤ８１７を駆動するＬＥＤ駆動部（光源駆動部）３８と、を備える。画像信号処理部３６は、チューナー（図１を参照）から入力された放送信号などの画像信号を処理し、処理した信号を液晶パネル制御部３７及びＬＥＤ駆動部３８に出力する。液晶パネル制御部３７は、画像信号処理部３６から出力された出力信号に基づいて、液晶パネル８１１へ向けて制御信号を出力して液晶パネル８１１の駆動を制御する。液晶パネル制御部３７は、液晶パネル８１１においてＸ軸方向（波長変換導光部材８２０の長さ方向）に沿って延在するとともにＹ軸方向（波長変換導光部材８２０の長さ方向と直交する直交方向）に沿って並ぶ多数本のゲート配線（走査線）に対して順次に走査信号を供給する垂直走査を実行し、Ｙ軸方向に沿って延在するとともにＸ軸方向に沿って並ぶ多数本のソース配線（信号線）に対して上記した垂直走査に同期したタイミングでもってデータ信号を供給する。これにより、液晶パネル８１１においてゲート配線とソース配線との交差部に配されてマトリクス状に配列される多数のＴＦＴ（スイッチング素子）は、１フレーム期間内に全て駆動されるとともに、それらのＴＦＴに接続された全ての画素電極に所定の電圧を印加することができ、もって液晶パネル８１１における各画素毎に光の透過率を制御することが可能とされる。ＬＥＤ駆動部３８は、画像信号処理部３６から入力された信号に基づいて各ＬＥＤ８１７の駆動を制御することが可能とされる。このとき、ＬＥＤ駆動部３８は、Ｙ軸方向に沿って並ぶ複数のＬＥＤ８１７の駆動に際して、画像信号処理部３６から液晶パネル制御部３７に入力される走査信号の垂直走査に同期して選択したＬＥＤ８１７を順次に所定の選択期間ずつ走査点灯する、といったスキャン駆動を行うものとされる。なお、ゲート配線、ソース配線、ＴＦＴ及び画素電極などの図示については省略する。
【０１２２】
続いて、詳しい作用について説明する。チューナーを介して放送信号などの画像信号が画像信号処理部３６に入力されると、図４１に示すように、画像信号処理部３６にて画像処理されて生成される出力信号（画像のサンプリングレート、動画／静止画の判定情報、倍速処理情報などが含まれる）が、液晶パネル制御部３７及びＬＥＤ駆動部３８にそれぞれ出力される。画像信号処理部３６からの出力信号を受けた液晶パネル制御部３７は、液晶パネル８１１においてＹ軸方向に沿って並ぶ多数本のゲート配線に対して順次に走査信号を供給する垂直走査を実行するとともに、Ｘ軸方向に沿って並ぶ多数本のソース配線に対して上記した垂直走査に同期したタイミングでもってデータ信号を供給し、それにより、１フレーム期間内に全てのＴＦＴを駆動して画素電極に所定の電圧を印加し、液晶パネル８１１における各画素毎に光の透過率を制御する。一方、画像信号処理部３６からの出力信号（画像のサンプリングレート、動画／静止画の判定情報、倍速処理情報などが含まれる）を受けたＬＥＤ駆動部３８は、図示しない接続部品を介してＬＥＤ基板８１８の各ＬＥＤ８１７に駆動電力を供給することで、画像信号に同期したスキャン駆動を行う。すなわち、ＬＥＤ駆動部３８は、画像信号処理部３６から液晶パネル制御部３７に入力される走査信号の垂直走査（ＴＦＴの選択駆動）に同期して選択したＬＥＤ８１７を順次に所定の選択期間ずつ走査点灯している。選択されたＬＥＤ８１７からの発光光は、図４２に示すように、発光したＬＥＤ８１７と対向する波長変換導光部材８２０の入光面８３３に入射した後に蛍光体含有部８２９に含有される蛍光体によって波長変換されて出光面から出射される。上記のようにＬＥＤ８１７が垂直走査に同期してスキャン駆動されると、上記垂直走査に同期して選択された波長変換導光部材８２０の出光面が順次に所定の選択期間ずつ発光することになる。これにより、バックライト装置８１２を擬似的にインパルス駆動することができるので、液晶パネル８１１において動画を表示する際の動画応答性が優れたものとなり、いわゆる動画ボケを軽減することができて表示品位が高いものとなる。
【０１２３】
以上説明したように本実施形態によれば、液晶パネル８１１は、波長変換導光部材８２０の長さ方向に沿って延在するとともに長さ方向と直交する直交方向に沿って並ぶ複数のゲート配線（走査線）と、直交方向に沿って延在するとともに長さ方向に沿って並ぶ複数のソース配線（データ線）と、ゲート配線及びソース配線の交差部に配されてゲート配線及びソース配線に接続される複数のＴＦＴ（スイッチング素子）と、を少なくとも有しており、波長変換導光部材８２０及びＬＥＤ８１７は、直交方向に沿って複数ずつが並んで配され、複数のＬＥＤ８１７は、複数のゲート配線の走査に対応して直交方向に走査点灯する。このようにすれば、複数のＴＦＴは、複数のゲート配線により直交方向に沿って順次に走査されるとともに、複数のソース配線によりデータ信号が供給される。直交方向に沿って並ぶ複数のＬＥＤ８１７は、複数のゲート配線の走査に対応して直交方向に走査点灯されるから、直交方向に沿って並ぶ複数の波長変換導光部材８２０の出光面からは、複数のＴＦＴの駆動に同期する形で直交方向に沿って順次に出光される。これにより、動画応答性が優れたものとなり、表示品位が高いものとなる。
【０１２４】
＜実施形態１０＞
本発明の実施形態１０を図４３によって説明する。この実施形態１０では、上記した実施形態８からＬＥＤ９１７及び波長変換導光部材９２０の配置を変更したものを示す。なお、上記した実施形態８と同様の構造、作用及び効果について重複する説明は省略する。
【０１２５】
本実施形態に係るＬＥＤ９１７及び波長変換導光部材９２０は、図４３に示すように、Ｙ軸方向（波長変換導光部材９２０の長さ方向と直交する直交方向）についての中央側の配列ピッチＰ１（Ｐ２）が端側の配列ピッチＰ２，Ｐ３（Ｐ３）よりも狭くなるよう配置されている。詳しくは、ＬＥＤ９１７及び波長変換導光部材９２０のうち、Ｙ軸方向について中央位置に配されるものとそれに隣り合うものとの間の配列ピッチを「Ｐ１」とし、Ｙ軸方向について中央位置から数えて２番目に配されるものとそれに隣り合うものとの間の配列ピッチを「Ｐ２」とし、Ｙ軸方向について端位置に配されるものとそれに隣り合うものとの間の配列ピッチを「Ｐ３」としたとき、「Ｐ１＜Ｐ２＜Ｐ３」の関係式が成り立つよう、ＬＥＤ９１７及び波長変換導光部材９２０がそれぞれ配列されている。このようにすれば、バックライト装置９１２におけるシャーシ９１４の光出射部９１４ｂからの出射光は、Ｙ軸方向についての中央側において特に高輝度となるので、液晶パネルにおけるＹ軸方向についての画面中央側にて高輝度となる。
【０１２６】
以上説明したように本実施形態によれば、波長変換導光部材９２０は、複数が並んで配され、長さ方向と直交する直交方向についての中央側では端側よりも配列ピッチが狭い。このようにすれば、光出射部９１４ｂからの出射光は、直交方向についての中央側において特に高輝度となる。
【０１２７】
＜実施形態１１＞
本発明の実施形態１１を図４４によって説明する。この実施形態１１では、上記した実施形態８からＬＥＤ１０１７及び波長変換導光部材１０２０の配置を変更したものを示す。なお、上記した実施形態８と同様の構造、作用及び効果について重複する説明は省略する。
【０１２８】
本実施形態に係るＬＥＤ１０１７及び波長変換導光部材１０２０は、図４４に示すように、Ｙ軸方向（波長変換導光部材１０２０の長さ方向と直交する直交方向）についての端側の配列ピッチＰ６（Ｐ５）が中央側の配列ピッチＰ４，Ｐ５（Ｐ４）よりも狭くなるよう配置されている。詳しくは、ＬＥＤ１０１７及び波長変換導光部材１０２０のうち、Ｙ軸方向について中央位置に配されるものとそれに隣り合うものとの間の配列ピッチを「Ｐ４」とし、Ｙ軸方向について中央位置から数えて２番目に配されるものとそれに隣り合うものとの間の配列ピッチを「Ｐ５」とし、Ｙ軸方向について端位置に配されるものとそれに隣り合うものとの間の配列ピッチを「Ｐ６」としたとき、「Ｐ６＜Ｐ５＜Ｐ４」の関係式が成り立つよう、ＬＥＤ１０１７及び波長変換導光部材１０２０がそれぞれ配列されている。ここで、バックライト装置１０１２におけるシャーシ１０１４の光出射部１０１４ｂからの出射光量は、Ｙ軸方向について端側では中央側よりも少なくなりがちとされる。その点、上記のようにＬＥＤ１０１７及び波長変換導光部材１０２０の配列ピッチが直交方向についての端側では中央側よりも狭くされることで、光出射部１０１４ｂからの出射光量が均一化される。
【０１２９】
以上説明したように本実施形態によれば、波長変換導光部材１０２０は、複数が並んで配され、長さ方向と直交する直交方向についての端側では中央側よりも配列ピッチが狭い。光出射部１０１４ｂからの出射光量は、直交方向について端側では中央側よりも少なくなりがちとされるものの、上記のように波長変換導光部材１０２０の配列ピッチが直交方向についての端側では中央側よりも狭くされることで、光出射部１０１４ｂからの出射光量が均一化される。
【０１３０】
＜実施形態１２＞
本発明の実施形態１２を図４５によって説明する。この実施形態１２では、上記した実施形態８から波長変換導光部材１１２０を変更したものを示す。なお、上記した実施形態８と同様の構造、作用及び効果について重複する説明は省略する。
【０１３１】
本実施形態に係る複数の波長変換導光部材１１２０には、図４５に示すように、含有する蛍光体の配合比率などが異なる２種類のものが含まれている。詳しくは、複数の波長変換導光部材１１２０には、出光面から出射する光の色味が第１ランクとなる色度の第１波長変換導光部材１１２０Ａと、出光面から出射する光の色味が上記した第１ランクとは異なる第２ランクとなる色度の第２波長変換導光部材１１２０Ｂと、が含まれている。そして、シャーシ１１１４内には、Ｙ軸方向に沿って第１波長変換導光部材１１２０Ａと第２波長変換導光部材１１２０Ｂとが交互に繰り返し配列されることで、第１波長変換導光部材１１２０Ａと第２波長変換導光部材１１２０Ｂとが互いに隣り合う配置とされる。なお、図４５では、第１波長変換導光部材１１２０Ａと第２波長変換導光部材１１２０Ｂとに関して、蛍光体含有部１１２９の図示に用いる網掛けを異ならせることで区別を図っている。
【０１３２】
ここで、波長変換導光部材１１２０の製造に際しては、蛍光体含有部１１２９に含有される緑色蛍光体及び赤色蛍光体の配合比率が常に一定になるとは限らず、配合比率が異なるものが製造され得るものとされる。具体的には、緑色蛍光体の配合比率が相対的に高いものでは、出射光が緑色の色味を帯びたものとなり易く、逆に赤色蛍光体の配合比率が相対的に高いものでは、出射光が赤色の色味を帯びたものとなり易い傾向にある。そこで、本実施形態では、製造された波長変換導光部材１１２０に基準光源の光を入射して得られる出射光の色味に基づいて波長変換導光部材１１２０のランク分けを行い、第１ランクとなる色度の第１波長変換導光部材１１２０Ａと、第２ランクとなる色度の第２波長変換導光部材１１２０Ｂと、に仕分けるようにしている。ここでは、例えば第１ランクとなる色度が緑色の色味を帯びた色度であり、第２ランクとなる色度が赤色の色味を帯びた色度であるとする。そして、バックライト装置１１１２の製造に際しては、第１波長変換導光部材１１２０Ａと第２波長変換導光部材１１２０ＢとがＹ軸方向について互いに隣り合うよう配列すれば、第１波長変換導光部材１１２０Ａの出射光が緑色の色度を帯びていて、第２波長変換導光部材１１２０Ｂの出射光が赤色の色度を帯びていたとしても、それらの出射光が補色の関係とされることで、バックライト装置１１１２の光出射部１１１４ｂの出射光としては色ムラが抑制された白色光となるのである。
【０１３３】
以上説明したように本実施形態によれば、波長変換導光部材１１２０は、複数が並んで配されており、複数の波長変換導光部材１１２０には、出光面から出射する光の色味が第１ランクとなる色度の第１波長変換導光部材１１２０Ａと、出光面から出射する光の色味が第１ランクとは異なる第２ランクとなる色度で第１波長変換導光部材１１２０Ａと隣り合う配置の第２波長変換導光部材１１２０Ｂと、が少なくとも含まれる。複数の波長変換導光部材１１２０には、製造上の問題などにより含有する蛍光体の配合比率などに差が生じ、それに起因して出光面から出射する光の色味に差が生じる場合がある。そのような場合でも、複数の波長変換導光部材１１２０を、出光面から出射する光の色味が第１ランクとなる色度の第１波長変換導光部材１１２０Ａと、同色味が第２ランクとなる色度の第２波長変換導光部材１１２０Ｂと、にランク分けし、第１波長変換導光部材１１２０Ａと第２波長変換導光部材１１２０Ｂとが隣り合う配置を採ることで、光出射部１１１４ｂからの出射光に色ムラが生じ難いものとなる。
【０１３４】
＜実施形態１３＞
本発明の実施形態１３を図４６によって説明する。この実施形態１３では、上記した実施形態８から波長変換導光部材１２２０の断面形状を変更したものを示す。なお、上記した実施形態８と同様の構造、作用及び効果について重複する説明は省略する。
【０１３５】
本実施形態に係る波長変換導光部材１２２０は、図４６に示すように、その長さ方向と直交するＹ軸方向（直交方向）に沿って切断した断面形状が半円形状とされる。詳しくは、波長変換導光部材１２２０は、表側を向いた出光面１２３４が円弧状（曲面状）をなし、出光面１２３４とは反対側に配される反対面１２３５がフラットな形状とされている。波長変換導光部材１２２０の出光面１２３４が円弧状をなしているので、出光面１２３４からの出射光が放射状に拡散し、もって輝度均一性に優れる。一方、波長変換導光部材１２２０における反対面１２３５は、シャーシ１２１４の底部１２１４ａに対する設置面であることから、その反対面１２３５がフラットな形状とされることで、底部１２１４ａに対して波長変換導光部材１２２０を特殊なクリップ部材を用いずとも安定的に設置することができる。それに加えて、フラットな反対面１２３５によって波長変換導光部材１２２０自身が薄型化されるので、バックライト装置１２１２の薄型化をも図ることができる。
【０１３６】
以上説明したように本実施形態によれば、波長変換導光部材１２２０は、出光面１２３４が曲面状をなし、出光面１２３４とは反対側に配されてフラットな反対面１２３５を有する。このようにすれば、波長変換導光部材１２２０の出光面１２３４が曲面状とされることで、出射光に係る輝度均一性が十分に高いものとなる。一方、波長変換導光部材１２２０の反対面１２３５がフラットであるから、薄型化が図られるとともに波長変換導光部材１２２０の設置が容易なものとなる。
【０１３７】
＜実施形態１４＞
本発明の実施形態１４を図４７または図４８によって説明する。この実施形態１４では、上記した実施形態８から波長変換導光部材１３２０の構成を変更したものを示す。なお、上記した実施形態８と同様の構造、作用及び効果について重複する説明は省略する。
【０１３８】
本実施形態に係る波長変換導光部材１３２０は、図４７及び図４８に示すように、長さ方向（Ｘ軸方向）について中央側が両端側よりも細くされている。つまり、波長変換導光部材１３２０は、両ＬＥＤ１３１７から遠ざかるほど細くなるものとされる。具体的には、波長変換導光部材１３２０は、太さがＸ軸方向についての位置に応じて連続的に漸次変化するものとされており、長さ方向についての両端位置にて太さが最大となる（最も太くなる）のに対し、長さ方向についての中央位置にて太さが最小となっている（最も細くなっている）。ここで、波長変換導光部材１３２０の出光面１３３４からの出射光量は、長さ方向について端側では中央側よりも少なくなりがちとされる。その点、上記のように波長変換導光部材１３２０における長さ方向についての中央側が両端側よりも細くされることで、出光面１３３４からの出射光量が均一化される。
【０１３９】
容器１３３０は、図４７及び図４８に示すように、太さが上記のように各ＬＥＤ１３１７に対する位置関係に応じて変化するのに対し、厚みが長さ方向について一定とされている。従って、容器１３３０における長さ方向についての単位長さ当たりの内部空間（蛍光体含有部１３２９）の容積が、Ｘ軸方向についての位置（両ＬＥＤ１３１７に対する位置関係）に応じて変化しており、長さ方向についての両端位置にて容積が最大となるのに対し、長さ方向についての中央位置にて容積が最小となっている。これに伴い、容器１３３０内に充填される蛍光体含有部１３２９は、蛍光体の含有濃度がＸ軸方向についての位置に因らず一定とされている。このように蛍光体含有部１３２９における蛍光体の含有濃度が一定であっても、蛍光体含有部１３２９の容積が両ＬＥＤ１３１７から遠ざかるほど少なくなっているので、蛍光体含有部１３２９におけるＸ軸方向についての単位長さ当たりの蛍光体の含有量（単位長さ当たりの波長変換される光量）もＬＥＤ１３１７から遠ざかるほど少なくなり、もって波長変換導光部材１３２０の出射光に係る色度が長さ方向の位置に因らず均一化される。つまり、波長変換導光部材１３２０の出射光に色ムラが生じ難いものとされる。このように蛍光体の含有濃度が一定とされる蛍光体含有部１３２９を備える波長変換導光部材１３２０は、上記した実施形態８に記載されたものよりも製造コストが低廉化される。
【０１４０】
以上説明したように本実施形態によれば、波長変換導光部材１３２０は、長さ方向についての中央側が両端側よりも細い。波長変換導光部材１３２０の出光面１３３４からの出射光量は、長さ方向について端側では中央側よりも少なくなりがちとされるものの、上記のように波長変換導光部材１３２０における長さ方向についての中央側が両端側よりも細くされることで、出光面１３３４からの出射光量が均一化される。しかも、例えば波長変換導光部材１３２０に含有される蛍光体の含有濃度が長さ方向について均一であった場合であっても、出光面１３３４から出射される光の色味は長さ方向についての位置に因らず均一なものとなり易い。
【０１４１】
＜実施形態１５＞
本発明の実施形態１５を図４９または図５０によって説明する。この実施形態１５では、上記した実施形態８から波長変換導光部材１４２０の構成を変更したものを示す。なお、上記した実施形態８と同様の構造、作用及び効果について重複する説明は省略する。
【０１４２】
本実施形態に係る波長変換導光部材１４２０は、図４９及び図５０に示すように、長さ方向（Ｘ軸方向）について中央側が両端側よりも太くされている。つまり、波長変換導光部材１４２０は、両ＬＥＤ１４１７から遠ざかるほど太くなるものとされている。具体的には、波長変換導光部材１４２０は、太さがＸ軸方向についての位置に応じて連続的に漸次変化するものとされており、長さ方向についての両端位置にて太さが最小となる（最も細くなる）のに対し、長さ方向についての中央位置にて太さが最大となっている（最も太くなっている）。このようにすれば、波長変換導光部材１４２０における長さ方向についての中央側において出光面１４３４から出射する光の高輝度化が図られる。なお、本実施形態に係る波長変換導光部材１４２０の蛍光体含有部１４２９を構成する第１蛍光体含有部１４２９Ａと第２蛍光体含有部１４２９Ｂと第３蛍光体含有部１４２９Ｃとにおける蛍光体の含有濃度の差は、上記した実施形態８に記載されたものよりも大きなものとなっている。
【０１４３】
以上説明したように本実施形態によれば、波長変換導光部材１４２０は、長さ方向についての中央側が両端側よりも太い。このようにすれば、波長変換導光部材１４２０における長さ方向についての中央側において出光面１４３４から出射する光の高輝度化が図られる。
【０１４４】
＜実施形態１６＞
本発明の実施形態１６を図５１によって説明する。この実施形態１６では、上記した実施形態８からＬＥＤ１５１７及び波長変換導光部材１５２０の配置を変更したものを示す。なお、上記した実施形態８と同様の構造、作用及び効果について重複する説明は省略する。
【０１４５】
本実施形態に係るＬＥＤ１５１７は、図５１に示すように、波長変換導光部材１５２０に対してその長さ方向についての一方の端面のみと対向する形で配置されている。つまり、波長変換導光部材１５２０は、入光面１５３３を１つのみ有しており、いわば片側入光タイプとされている。入光面１５３３は、波長変換導光部材１５２０における長さ方向についての両端面のうち、封止部１５３１側の端面とされる。これに伴い、波長変換導光部材１５２０の蛍光体含有部１５２９は、上記した実施形態１に記載されたものと同様に、蛍光体の含有濃度が５段階でもって段階的に逐次変化するものとされる。すなわち、蛍光体含有部１５２９は、入光面１５３３を有する封止部１５３１から遠い側から順に、蛍光体の含有濃度が最も低い第１蛍光体含有部１５２９Ａと、蛍光体の含有濃度が二番目に低い（四番目に高い）第２蛍光体含有部１５２９Ｂと、蛍光体の含有濃度が三番目に低い（高い）第３蛍光体含有部１５２９Ｃと、蛍光体の含有濃度が四番目に低い（二番目に高い）第４蛍光体含有部１５２９Ｄと、蛍光体の含有濃度が最も高い第５蛍光体含有部１５２９Ｅと、から構成されている。
【０１４６】
そして、複数の波長変換導光部材１５２０は、Ｙ軸方向について隣り合う波長変換導光部材１５２０の封止部１５３１（容器１５３０の底部１５３０ａ）が平面に視て千鳥状に配されるよう配列されている。言い換えると、波長変換導光部材１５３０は、封止部１５３１が、Ｙ軸方向について波長変換導光部材１５３０の容器１５３０の底部１５３０ａと隣り合うよう配列されている。これに伴い、ＬＥＤ１５１７は、波長変換部１５３０の封止部１５３１の平面配置と同様に、千鳥状に平面配置されている。従って、Ｙ軸方向について隣り合うＬＥＤ１５１７の間の間隔は、Ｙ軸方向に沿って並ぶ波長変換導光部材１５２０の配列ピッチの２倍程度とされている。このように、本実施形態によれば、ＬＥＤ１５１７の使用数が、実施形態８に比べて半分程度となるので、低コスト化を図る上で好適となる。また、一対のＬＥＤ基板１５１８に実装されるＬＥＤ１５１７の実装数は、それぞれ半分程度とされている。
【０１４７】
＜他の実施形態＞
本発明は上記記述及び図面によって説明した実施形態に限定されるものではなく、例えば次のような実施形態も本発明の技術的範囲に含まれる。
（１）上記した各実施形態（実施形態２，６，１４を除く）では、波長変換導光部材を構成する蛍光体含有部における蛍光体の含有濃度を、ＬＥＤとの位置関係に応じて変化させた場合を示したが、波長変換導光部材を構成する蛍光体含有部における蛍光体の含有濃度を、全域にわたって一定とすることも可能である。この場合、波長変換導光部材において単位長さ当たりの波長変換される光量が長さ方向について全域にわたって一定となる。
【０１４８】
（２）上記した各実施形態（実施形態２，６を除く）では、波長変換導光部材を構成する蛍光体含有部における蛍光体の含有濃度を、ＬＥＤとの位置関係に応じて変化させるのに対し、容器の内部空間に係る単位長さ当たりの容積を、全域にわたって一定とした場合を示したが、波長変換導光部材を構成する蛍光体含有部における蛍光体の含有濃度を、ＬＥＤとの位置関係に応じて変化させるとともに、容器の内部空間に係る単位長さ当たりの容積を、ＬＥＤとの位置関係に応じて変化させることも可能である。
【０１４９】
（３）上記した各実施形態（実施形態２，６，１４を除く）では、波長変換導光部材を構成する蛍光体含有部における蛍光体の含有濃度を、ＬＥＤから遠ざかるのに従って段階的に逐次減少させるようにした場合を示したが、波長変換導光部材を構成する蛍光体含有部における蛍光体の含有濃度を、ＬＥＤから遠ざかるのに従って連続的に漸次減少させるようにしてもよい。
【０１５０】
（４）上記した実施形態１，４，５，１６では、波長変換導光部材を構成する蛍光体含有部における蛍光体の含有濃度が５段階に分けられた構成（第１蛍光体含有部〜第５蛍光体含有部を有する構成）を示したが、波長変換導光部材を構成する蛍光体含有部における蛍光体の含有濃度が４段階以下、または６段階以上に分けられていても構わない。同様に、上記した実施形態７に記載された構成（波長変換導光部材が蛍光体非含有部を有する構成）において、波長変換導光部材を構成する蛍光体含有部における蛍光体の含有濃度が３段階以下、または５段階以上に分けられていても構わない。
【０１５１】
（５）上記した実施形態３，８〜１３，１５では、長さ方向の両端面がＬＥＤ対向面（入光面）とされた波長変換導光部材を構成する蛍光体含有部における蛍光体の含有濃度が３段階に分けられた構成（第１蛍光体含有部〜第３蛍光体含有部を有する構成）を示したが、長さ方向の両端面がＬＥＤ対向面（入光面）とされた波長変換導光部材を構成する蛍光体含有部における蛍光体の含有濃度が５段階以上の奇数段階（７段階、９段階など）に分けられていても構わない。また、長さ方向の両端面がＬＥＤ対向面（入光面）とされた波長変換導光部材を構成する蛍光体含有部における蛍光体の含有濃度が偶数段階（２段階、４段階、６段階など）に分けられていても構わない。
【０１５２】
（６）上記した実施形態２，６，１４，１５では、波長変換導光部材を構成する容器の内部空間に係る単位長さ当たりの容積を、ＬＥＤとの位置関係に応じて変化させた場合を示したが、波長変換導光部材を構成する容器の内部空間に係る単位長さ当たりの容積を、全域にわたって一定とすることも可能である。この場合、波長変換導光部材において単位長さ当たりの波長変換される光量が長さ方向について全域にわたって一定となる。
【０１５３】
（７）上記した実施形態２，６，１４では、波長変換導光部材を構成する容器の内部空間に係る単位長さ当たりの容積を、ＬＥＤとの位置関係に応じて変化させるのに対し、蛍光体含有部における蛍光体の含有濃度を、全域にわたって一定とした場合を示したが、波長変換導光部材を構成する容器の内部空間に係る単位長さ当たりの容積を、ＬＥＤとの位置関係に応じて変化させるとともに、蛍光体含有部における蛍光体の含有濃度を、ＬＥＤとの位置関係に応じて変化させることも可能である。この場合、波長変換導光部材において単位長さ当たりの波長変換される光量が長さ方向について全域にわたって一定となる。
【０１５４】
（８）上記した実施形態２，６，１４では、波長変換導光部材を構成する容器の内部空間に係る単位長さ当たりの容積を、ＬＥＤから遠ざかるのに従って連続的に漸次減少させるようにした場合を示したが、波長変換導光部材を構成する容器の内部空間に係る単位長さ当たりの容積を、ＬＥＤから遠ざかるのに従って段階的に逐次減少させるようにしてもよい。
【０１５５】
（９）上記した実施形態２，６，１４，１５では、波長変換導光部材を構成する蛍光体含有部の高さ寸法及び幅寸法が共にＬＥＤとの位置関係に応じて変化する場合を示したが、波長変換導光部材を構成する蛍光体含有部の高さ寸法と幅寸法とのいずれか一方のみがＬＥＤとの位置関係に応じて変化するようにしてもよい。
【０１５６】
（１０）上記した実施形態１〜７，１６（実施形態３を除く）では、波長変換導光部材を構成する封止部の外面をＬＥＤと対向するＬＥＤ対向面（入光面）とし、容器の底部における外面がＬＥＤとは対向しないように配置した場合を示したが、波長変換導光部材を構成する容器の底部における外面をＬＥＤと対向するＬＥＤ対向面（入光面）とし、封止部の外面がＬＥＤとは対向しないように配置することも可能である。これを実施形態４に適用した場合、２本の波長変換導光部材における各封止部がバックライト装置における中央側に、各容器の底部がバックライト装置における両端側に、それぞれ配されることになる。
【０１５７】
（１１）上記した各実施形態では、片端側のみが封止部により封止された片側封止構造の波長変換導光部材を用いた場合を示したが、両端側部分がそれぞれ封止部により封止された両側封止構造の波長変換導光部材を用いた場合にも本発明は適用可能である。
【０１５８】
（１２）上記した各実施形態では、波長変換導光部材を構成する容器及び封止部をガラス製とした場合を示したが、容器及び封止部の材料としてガラス以外の材料（例えば合成樹脂材料）を用いることも可能である。
【０１５９】
（１３）上記した実施形態１〜７では、導光板が合成樹脂材料（ＰＭＭＡなどのアクリル樹脂材料）からなる場合を例示したが、導光板の材料として合成樹脂材料以外の材料（例えばガラス）を用いることも可能である。
【０１６０】
（１４）上記した実施形態１〜７（実施形態５を除く）では、導光板における一方の長辺側の端面を入光端面とした片側入光タイプのバックライト装置を例示したが、導光板における他方の長辺側の端面を入光端面とした片側入光タイプのバックライト装置にも本発明は適用可能である。また、導光板におけるいずれか一方の短辺側の端面を入光端面とした片側入光タイプのバックライト装置にも本発明は適用可能である。
【０１６１】
（１５）上記した実施形態５では、導光板における一対の長辺側の端面をそれぞれ入光端面とした両側入光タイプのバックライト装置を例示したが、導光板における一対の短辺側の端面をそれぞれ入光端面とした両側入光タイプのバックライト装置にも本発明は適用可能である。
【０１６２】
（１６）上記した実施形態１〜７では、片側入光のバックライト装置または両側入光タイプのバックライト装置を例示したが、導光板の外周端面における任意の３つの端面を入光端面とした３辺入光タイプのバックライト装置や導光板の外周端面における４つの端面の全てを入光端面とした４辺入光タイプのバックライト装置にも本発明は適用可能である。
【０１６３】
（１７）上記した各実施形態では、ＬＥＤが青色ＬＥＤ素子を備える構成を示したが、青色ＬＥＤ素子に代えて可視光線である紫色の光を発する紫色ＬＥＤ素子を備えたＬＥＤや紫外線（例えば近紫外線）を発する紫外線ＬＥＤ素子（近紫外線ＬＥＤ素子）などを用いることも可能である。紫色ＬＥＤ素子または紫外線ＬＥＤ素子を備えるＬＥＤに組み合わせて用いられる波長変換導光部材には、赤色蛍光体、緑色蛍光体及び青色蛍光体を含有させるのが好ましいものとされる。それ以外にも、紫色ＬＥＤ素子または紫外線ＬＥＤ素子を備えるＬＥＤに組み合わせて用いられる波長変換導光部材には、赤色蛍光体、緑色蛍光体及び青色蛍光体の中から選択される１色または２色の蛍光体を含有させ、残りの２色または１色の蛍光体をＬＥＤの封止材に含有させるようにしてもよい。また、これら以外にも具体的な蛍光体の色などは適宜に変更可能である。
【０１６４】
（１８）上記した各実施形態では、ＬＥＤが青色ＬＥＤ素子を有し、波長変換導光部材が緑色蛍光体及び赤色蛍光体を有する構成を例示したが、ＬＥＤが青色ＬＥＤ素子に加えて赤色の光を発する赤色ＬＥＤ素子を有することでマゼンタ色の光を発する構成とし、それに組み合わせて用いられる波長変換導光部材が緑色蛍光体を有する構成とすることも可能である。この赤色ＬＥＤ素子に代えて、ＬＥＤの封止材に青色の光を励起光として赤色の光を発する赤色蛍光体を含有させるようにしても構わない。
【０１６５】
（１９）上記した（１８）以外にも、ＬＥＤが青色ＬＥＤ素子に加えて緑色の光を発する緑色ＬＥＤ素子を有することでシアン色の光を発する構成とし、それに組み合わせて用いられる波長変換導光部材が赤色蛍光体を有する構成とすることも可能である。この緑色ＬＥＤ素子に代えて、ＬＥＤの封止材に青色の光を励起光として緑色の光を発する緑色蛍光体を含有させるようにしても構わない。
【０１６６】
（２０）上記した実施形態１〜７では、光学部材がフレームに対して表側に載せられて導光板との間に間隔が空けられた構成を例示したが、光学部材が導光板に対して表側に直接載せられる構成を採ることも可能である。その場合、フレームが最も表側に配される光学部材を表側から押さえる構成としたり、フレームが複数の光学部材の間に介在する形で配される構成としたりすることが可能である。
【０１６７】
（２１）上記した各実施形態では、３枚の光学部材を備える構成を例示したが、光学部材の枚数を２枚以下または４枚以上に変更することも可能である。また、使用する光学部材の種類についても適宜に変更可能であり、例えば拡散シートなどを用いることも可能である。また、各光学部材の具体的な積層順についても適宜に変更可能である。
【０１６８】
（２２）上記した各実施形態では、波長変換導光部材が緑色蛍光体及び赤色蛍光体を含む構成とされる場合を示したが、波長変換導光部材に黄色蛍光体のみを含ませた構成としたり、黄色蛍光体に加えて赤色蛍光体や緑色蛍光体を含ませた構成としたりすることも可能である。
【０１６９】
（２３）上記した各実施形態では、波長変換導光部材に含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【０１７０】
（２４）上記した各実施形態では、波長変換導光部材に含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。また、波長変換導光部材に含まれる蛍光体として用いた量子ドット蛍光体を、Ｃｄ（カドミウム）を含有しない量子ドット蛍光体とすることも可能である。
【０１７１】
（２５）上記した各実施形態では、波長変換導光部材に量子ドット蛍光体を含有させた構成のものを例示したが、他の種類の蛍光体を波長変換導光部材に含有させるようにしても構わない。例えば、波長変換導光部材に含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０１７２】
（２６）上記した（２５）以外にも、波長変換導光部材に含有させる緑色蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換導光部材に含有させる赤色蛍光体を、(Ｃａ，Ｓｒ，Ｂａ) 2ＳｉＯ5Ｎ8：Ｅｕ2+、ＣａＡｌＳｉＮ3：Ｅｕ2+、複フッ化物蛍光体（マンガン付活のケイフッ化カリウム（Ｋ2ＴｉＦ6）など）などとすることができる。さらには、波長変換導光部材に含有させる黄色蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。
【０１７３】
（２７）上記した（２５），（２６）以外にも、波長変換導光部材に含有させる蛍光体として有機蛍光体を用いることができる。有機蛍光体としては、例えばトリアゾールまたはオキサジアゾールを基本骨格とした低分子の有機蛍光体を用いることができる。
【０１７４】
（２８）上記した（２５），（２６），（２７）以外にも、波長変換導光部材に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１７５】
（２９）上記した各実施形態以外にも、ＬＥＤに備えられる青色ＬＥＤ素子の発光スペクトル（ピーク波長の数値、ピークの半値幅の数値など）に関しては、適宜に変更することが可能である。同様に、波長変換導光部材に含有される各蛍光体の発光スペクトル（ピーク波長の数値、ピークの半値幅の数値など）を適宜に変更することが可能である。
【０１７６】
（３０）上記した各実施形態では、ＬＥＤを構成する青色ＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１７７】
（３１）上記した各実施形態では、シャーシが金属製とされた場合を例示したが、シャーシを合成樹脂製とすることも可能である。
【０１７８】
（３２）上記した各実施形態では、光源としてＬＥＤを用いたものを示したが、有機ＥＬやレーザダイオードなどの他の光源を用いることも可能である。
【０１７９】
（３３）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１８０】
（３４）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１８１】
（３５）上記した各実施形態では、透過型の液晶表示装置を例示したが、それ以外にも反射型の液晶表示装置や半透過型の液晶表示装置にも本発明は適用可能である。
【０１８２】
（３６）上記した各実施形態では、表示パネルとして液晶パネルを用いた液晶表示装置を例示したが、他の種類の表示パネルを用いた表示装置にも本発明は適用可能である。
【０１８３】
（３７）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【０１８４】
（３８）上記した実施形態７では、波長変換導光部材の蛍光体非含有部が紫外線硬化性樹脂材料からなる場合を示したが、蛍光体非含有部の材料を紫外線硬化性樹脂材料以外の合成樹脂材料やガラス材料などとすることも可能である。その場合、蛍光体非含有部の材料は、ほぼ透明など優れた透光性を有していて、光を吸収し難い特性を持つのが好ましい。また、蛍光体非含有部を空気層により構成することも可能である。また、容器におけるＬＥＤから最も遠い部分を選択的に中空にせずに中実構造とし、その中実部分（容器を構成する材料で満たされた部分）を蛍光体非含有部とすることも可能である。この場合は、蛍光体非含有部が容器に一体化されていることになる。
【０１８５】
（３９）上記した各実施形態（実施形態２，６，１４を除く）では、波長変換導光部材の蛍光体含有部において蛍光体の含有濃度が互いに異なる各蛍光体含有部が、長さ方向についてほぼ同じ形成範囲とされる場合を示したが、各蛍光体含有部に、長さ方向についての形成範囲が異なるものが含まれていても構わない。同様に、実施形態７に記載された蛍光体非含有部における長さ方向についての形成範囲は、各蛍光体含有部の同形成範囲よりも広かったり狭かったりしていても構わない。
【０１８６】
（４０）上記した実施形態２，６，１４に記載した構成（蛍光体の含有濃度が一定となる構成）に、実施形態７に記載した構成（蛍光体非含有部）を組み合わせることも可能である。その場合、さらに上記した（３８）に記載した事項を組み合わせることも可能である。
【０１８７】
（４１）上記した実施形態２，６，１４に記載した構成（蛍光体の含有濃度が一定となる構成）に、実施形態３〜５に記載した各構成を適宜に組み合わせることも可能である。また、上記した実施形態３，４に記載した構成に、実施形態５〜７に記載した構成を適宜に組み合わせることも可能である。また、上記した実施形態５，６に記載した構成に、実施形態７に記載した構成を適宜に組み合わせることも可能である。
【０１８８】
（４２）上記した実施形態１〜７では、波長変換導光部材における一側面の大部分が導光板と対向する導光板対向面とされるものの、一側面のごく一部（長さ方向の両端部）が導光板とは対向しない構成を示したが、波長変換導光部材における一側面の全域が導光板対向面とされる構成であっても構わない。同様に、波長変換導光部材における一端面の大部分（一部）をＬＥＤ対向面としたり、同一端面の全域をＬＥＤ対向面とすることも可能である。
【０１８９】
（４３）上記した各実施形態において、ＬＥＤと波長変換導光部材とを相互に固定してユニット化を図ることも可能である。その場合、ＬＥＤと波長変換導光部材との間に例えば紫外線硬化樹脂などを介在させることで相互の固定を図るのが好ましい。
（４４）上記した実施形態８〜１６において、バックライト装置内において光出射部の直下位置にてＹ軸方向に沿って並ぶ波長変換導光部材の設置数（並び数）は適宜に変更可能であり、奇数に限らず偶数とすることも勿論可能である。
（４５）上記した実施形態８〜１６において、波長変換導光部材の具体的な断面形状は適宜に変更可能であり、例えば波長変換導光部材の断面形状が楕円形、半楕円形、台形、方形などであっても構わない。
（４６）上記した実施形態８〜１６において、波長変換導光部材とシャーシの底部との間に介在する反射シートを省略することも可能である。
（４７）上記した実施形態８〜１６において、Ｙ軸方向に沿って並ぶＬＥＤ（光源）の設置数と、Ｙ軸方向に沿って並ぶ波長変換導光部材の設置数と、が異なる関係であってもよい。ＬＥＤの設置数を波長変換導光部材の設置数よりも少なくする場合には、１つのＬＥＤが複数の波長変換導光部材の入光面と対向する配置を採ればよい。逆に、ＬＥＤの設置数を波長変換導光部材の設置数よりも多くする場合には、１本の波長変換導光部材の入光面に対して複数のＬＥＤが対向する配置を採ればよい。
（４８）上記した実施形態８〜１２，１４〜１６では、波長変換導光部材の外周面（側面）における出光面と反対面との面積比が概ね等しい場合を示したが、波長変換導光部材の外周面における出光面と反対面との面積比が不等となっていて、出光面が反対面よりも面積比が大きい場合や出光面が反対面よりも面積比が小さい場合でもよい。
（４９）上記した実施形態８〜１６に記載した構成に、実施形態４に記載された構成を組み合わせて、Ｘ軸方向に沿って２本の波長変換導光部材が並ぶ配置構成を採ることも可能である。
（５０）上記した実施形態８〜１２，１４〜１６に記載した構成に、実施形態７に記載した構成（蛍光体非含有部）を組み合わせることも可能である。
（５１）上記した実施形態１２では、波長変換導光部材が蛍光体の配合比率（出射光の色度）が異なる２種類にランク分けした場合を示したが、波長変換導光部材を３種類以上にランク分けし、それらランクが異なる波長変換導光部材が互いに隣り合うよう配置することも可能である。
（５２）上記した実施形態１４，１５に記載した技術事項に、実施形態２に記載した技術事項を組み合わせて、容器を一定の太さとしつつも蛍光体含有部の容積（容器の厚さ）を長さ方向について可変とすることも可能である。
（５３）上記した実施形態１６では、波長変換導光部材が片側入光タイプとされる場合において。ＬＥＤが千鳥状に平面配置される場合を示したが、全てのＬＥＤが波長変換導光部材の片端側に偏在し、Ｙ軸方向に沿って一列に並ぶ配置とすることも可能である。
（５４）上記した実施形態８〜１６に記載した構成を複数適宜に組み合わせることも可能である。
【符号の説明】
【０１９０】
１０，７１０…液晶表示装置（表示装置）、１０ＴＶ…テレビ受信装置、１１，７１１，８１１…液晶パネル（表示パネル）、１２，３１２，４１２，７１２，８１２，９１２，１０１２，１１１２，１２１２…バックライト装置（照明装置）、１４ｂ，７１４ｂ，９１４ｂ，１０１４ｂ，１１１４ｂ…光出射部、１７，１１７，２１７，３１７，４１７，５１７，６１７，７１７，８１７，９１７，１０１７，１３１７，１４１７，１５１７…ＬＥＤ（光源）、１９，１１９，２１９，３１９，４１９，５１９…導光板、１９ｂ，１１９ｂ，２１９ｂ，３１９ｂ，４１９ｂ，５１９ｂ…入光端面、２０，１２０，２２０，３２０，４２０，５２０，６２０，９２０，１０２０，１１２０，１２２０，１３２０，１４２０，１５２０…波長変換導光部材（導光部材）、２０ａ，２２０ａ，３２０ａ，４２０ａ，６２０ａ…ＬＥＤ対向面（光源対向面、入光面）、２０ｂ，１２０ｂ，２２０ｂ，５２０ｂ，６２０ｂ…導光板対向面（出光面）、２９，１２９，２２９，３２９，５２９，６２９，７２９，８２９，１３２９，１４２９，１５２９…蛍光体含有部（蛍光体）、３０，１３０，２３０，３３０，５３０，６３０，７３０，１３３０，１５３０…容器、３２…蛍光体非含有部、３３，８３３，１５３３…入光面、３４，１２３４，１３３４，１４３４…出光面、３５，１２３５…反対面、１１２０Ａ…第１波長変換導光部材、１１２０Ｂ…第２波長変換導光部材
【図１】
0006781559.tif 000002
【図２】
0006781559.tif 000003
【図３】
0006781559.tif 000004
【図４】
0006781559.tif 000005
【図５】
0006781559.tif 000006
【図６】
0006781559.tif 000007
【図７】
0006781559.tif 000008
【図８】
0006781559.tif 000009
【図９】
0006781559.tif 000010
【図１０】
0006781559.tif 000011
【図１１】
0006781559.tif 000012
【図１２】
0006781559.tif 000013
【図１３】
0006781559.tif 000014
【図１４】
0006781559.tif 000015
【図１５】
0006781559.tif 000016
【図１６】
0006781559.tif 000017
【図１７】
0006781559.tif 000018
【図１８】
0006781559.tif 000019
【図１９】
0006781559.tif 000020
【図２０】
0006781559.tif 000021
【図２１】
0006781559.tif 000022
【図２２】
0006781559.tif 000023
【図２３】
0006781559.tif 000024
【図２４】
0006781559.tif 000025
【図２５】
0006781559.tif 000026
【図２６】
0006781559.tif 000027
【図２７】
0006781559.tif 000028
【図２８】
0006781559.tif 000029
【図２９】
0006781559.tif 000030
【図３０】
0006781559.tif 000031
【図３１】
0006781559.tif 000032
【図３２】
0006781559.tif 000033
【図３３】
0006781559.tif 000034
【図３４】
0006781559.tif 000035
【図３５】
0006781559.tif 000036
【図３６】
0006781559.tif 000037
【図３７】
0006781559.tif 000038
【図３８】
0006781559.tif 000039
【図３９】
0006781559.tif 000040
【図４０】
0006781559.tif 000041
【図４１】
0006781559.tif 000042
【図４２】
0006781559.tif 000043
【図４３】
0006781559.tif 000044
【図４４】
0006781559.tif 000045
【図４５】
0006781559.tif 000046
【図４６】
0006781559.tif 000047
【図４７】
0006781559.tif 000048
【図４８】
0006781559.tif 000049
【図４９】
0006781559.tif 000050
【図５０】
0006781559.tif 000051
【図５１】
0006781559.tif 000052